(57)【特許請求の範囲】
【請求項１】
下記工程を含んでなる、ビオチン化核酸の分離方法：
（１）核酸にビオチンを結合させたビオチン化核酸を含有する試料と、タマビジンを固定化した不溶性担体（タマビジン固定化不溶性担体）とを接触させて、ビオチン化核酸とタマビジン固定化不溶性担体との複合体を生成させる工程（工程Ａ−１）、
（２）遊離ビオチンの存在下、pH7.8〜9.5の溶液中で、ビオチン化核酸を、工程Ａ−１で得られた該複合体から分離する工程（工程Ａ−２）。
【請求項２】
タマビジンがタマビジン２-REVである、請求項１に記載の方法。
【請求項３】
工程Ａ−１をタマビジに対して40〜4000倍モルの遊離ビオチンの存在下に行う、請求項１に記載の方法。
【請求項４】
下記工程を含んでなる、核酸結合タンパク質が結合したビオチン化核酸の分離方法：
（１）核酸に結合し得るタンパク質（核酸結合タンパク質）を含有する試料と、核酸にビオチンを結合させたビオチン化核酸と、タマビジン固定化不溶性担体とを接触させて、核酸結合タンパク質とビオチン化核酸とタマビジン固定化不溶性担体との複合体を生成させる工程（工程Ｂ−１）、
（２）遊離ビオチンの存在下、pH7.8〜9.5の溶液中で、核酸結合タンパク質が結合したビオチン化核酸を、工程Ｂ−１で得られた該複合体から分離する工程（工程Ｂ−２）。
【請求項５】
タマビジンがタマビジン２-REVである、請求項４に記載の方法。
【請求項６】
工程Ｂ−１をタマビジンに対して40〜4000倍モルの遊離ビオチンの存在下に行う、請求項４に記載の方法。
【請求項７】
下記工程を含んでなる、核酸結合タンパク質の分離方法：
（１）核酸結合タンパク質を含有する試料と、核酸にビオチンを結合させたビオチン化核酸と、タマビジン固定化不溶性担体とを接触させて、核酸結合タンパク質とビオチン化核酸とタマビジン固定化不溶性担体との複合体を生成させる工程（工程Ｃ−１）、
（２）遊離ビオチンの存在下、pH7.8〜9.5の溶液中で、核酸結合タンパク質が結合したビオチン化核酸を、工程Ｃ−１で得られた該複合体から分離する工程（工程Ｃ−２）。
（３）工程Ｃ−２で得られた核酸結合タンパク質が結合したビオチン化核酸から、核酸結合タンパク質を分離する工程（工程Ｃ−３）。
【請求項８】
タマビジンがタマビジン２-REVである、請求項７に記載の方法。
【請求項９】
工程Ｃ−１をタマビジンに対して40〜4000倍モルのビオチンの存在下に行う、請求項７に記載の方法。
【請求項１０】
タマビジンを固定化した不溶性担体を含んでなる試薬と、混合後の溶液のpHが7.8〜9.5となるような試薬とを構成試薬として含んでなる核酸分離用キット。
【請求項１１】
タマビジンがタマビジン２-REVである、請求項１０に記載のキット。
【請求項１２】
遊離ビオチンを含む、混合後の溶液のpHが7.8〜9.5となるような試薬を構成試薬として含んでなる、請求項１０に記載のキット。
【発明の詳細な説明】
【技術分野】
【０００１】
本発明は、特にプルダウン法による核酸結合タンパク質の研究に有用なビオチン化核酸の分離方法に関する。
【背景技術】
【０００２】
近年、タンパク質をコードしない長鎖ノンコーディングRNA（long non-coding RNA: lncRNA）が様々な生命現象に重要な役割を果たしていることが明らかとなり、注目を集めている。また、HOTAIRやXist等のlncRNAは、特定のタンパク質と結合することで機能を果たすようになることが知られている。これらのことから、lncRNAの機能解析においては、目的のlncRNAがどのようなタンパク質と結合し、リボヌクレオプロティン複合体（RNAとRNA結合タンパク質の複合体、RNP複合体）を形成しているかを調べることが重要な鍵となる。【０００３】
RNP複合体を構成する、lncRNAと結合するタンパク質を同定するためには、細胞・組織等のサンプル中から目的とするlncRNAが含まれるRNP複合体を単離する必要がある。その方法の一つとしてRNAプルダウン法が知られている。【０００４】
RNAプルダウン法は、in vitro転写反応でビオチン標識した目的RNA（例えばlncRNA）を合成し、細胞ライセート等のサンプルと反応させた後、ストレプトアビジンビーズを用いて目的RNAと相互作用するタンパク質（RNA結合タンパク質）を、該RNA結合タンパク質と目的RNAとのRNP複合体として単離する方法である。【０００５】
このRNAプルダウン法は、RNAと相互作用するタンパク質が未知なlncRNAであってもRNP複合体を単離できるので、lncRNAの機能解析研究を行う上で有効な手法である。しかしRNAプルダウン法には、試料中に存在する目的のRNA結合タンパク質以外のタンパク質もストレプトアビジンビーズへ非特異的に結合してしまい、その結果目的のRNA結合タンパク質のみを特異的に検出することが困難となるケースが多々あるという、問題点がある。【０００６】
一方、タマビジン（「タマビジン＼ＴＡＭＡＶＩＤＩＮ」は、日本たばこ産業株式会社の登録商標）は、日本たばこ産業株式会社により食用キノコのタモギダケ（Pleurotus cornucopiae）から発見された耐熱性の新規アビジン様タンパク質である。また、タマビジン２は卵白由来の塩基性タンパク質であるアビジンや放線菌(Streptomyces avidinii)由来のストレプトアビジンと同様にビオチンとの結合活性を有する新規アビジン様タンパク質である(WO2002/072817：特許文献１)。更に、タマビジン２のアミノ酸配列に改変を加えたタマビジン２の改変体で、ビオチン化した物質への十分な結合力を保持しつつも、その結合を解離することができる程度の結合力を有するタマビジン２−REVが開発されている（特許文献２、非特許文献１）。更にまた、タマビジン２−REVを固定化させた担体を用いて大腸菌破砕液中のビオチン化BSAの精製を行う際に、過剰量（5mM）のビオチンを含む0.1M リン酸ナトリウム緩衝液を加えることにより、タマビジン２REV固定化担体に結合したビオチン化BSAを溶出できることが明らかとなっている（非特許文献１）。 【０００７】
そこで本発明者等は、ストレプトアビジンの代わりにタマビジン２−REVを用いてRNAプルダウン法を実施すれば、タンパク質が非特異的にビーズに吸着することに起因する目的のRNA結合タンパク質以外のタンパク質が混入してしまう、という従来のRNAプルダウン法の問題点を解消できるのではないかと考えて検討を行った。その結果、過剰量のビオチンを含む溶出液を用いる穏和な条件下で、[RNA結合タンパク質とビオチン化RNAとタマビジン２-REV固定化磁気ビーズとの複合体]から[RNA結合タンパク質が結合したビオチン化RNAプローブ]を分離させたところ、バックグラウンドが高くなる原因となる非特異吸着タンパク質の混合を可能な限り取り除いて、[RNA結合タンパク質が結合したビオチン化RNAプローブ]を得ることができた（非特許文献２）。
【先行技術文献】
【特許文献】
【０００８】
【特許文献１】WO02/072817号公報
【特許文献２】特開平2011-55827号公報
【非特許文献】
【０００９】
【非特許文献１】Yoshimitsu Takakura, Tamavidin 2-REV: An engineered tamavidin with reversible biotin-binding capability, Journal of Biotechnology, 2013, vol.164, No.1, p.19-25
【非特許文献２】請川亮、西部隆宏、定村佳房、「長鎖ノンコーディングRNA結合タンパク質の単離に適した新しい研究ツール」、Medical Scienec Digest、2014年40巻6月臨時増刊号（通巻524号）、ニューサイエンス社、2014年、p.355-359
【非特許文献３】John F. Milligan, et al., Nucleic Acids Research, 1987, vol.15, No.21, p.8783-8798
【発明の開示】
【発明が解決しようとする課題】
【００１０】
しかしながらこのタマビジン２−REVを用いる方法では、［RNA結合タンパク質が結合したビオチン化RNAプローブ］の回収率が満足するものではなかった。すなわち、ビオチン化RNAプローブのビオチンとタマビジン２-REV固定化磁気ビーズのタマビジン２の解離効率が十分でないために、効率良く、即ち高回収率でRNA結合タンパク質を溶出させることが困難であった。【００１１】
従って、本発明の課題は、ビオチン化核酸のビオチンとタマビジン２固定化不溶性担体のタマビジン２との解離効率を高めて、ビオチン化核酸を効率よく取得することである。
【課題を解決するための手段】
【００１２】
本発明は、上記課題を解決する目的でなされたものであり、以下の構成よりなる。
（１）下記工程を含んでなる、ビオチン化核酸の分離方法：
１）核酸にビオチンを結合させたビオチン化核酸を含有する試料と、タマビジンを固定化した不溶性担体（タマビジン固定化不溶性担体）とを接触させて、ビオチン化核酸とタマビジン固定化不溶性担体との複合体を生成させる工程（工程Ａ−１）、
２）遊離ビオチンの存在下、pH7.8〜9.5の溶液中で、ビオチン化核酸を、工程Ａ−１で得られた該複合体から分離する工程（工程Ａ−２）。【００１３】
（２）下記工程を含んでなる、核酸結合タンパク質が結合したビオチン化核酸の分離方法：
１）核酸に結合し得るタンパク質（核酸結合タンパク質）を含有する試料と、核酸にビオチンを結合させたビオチン化核酸と、タマビジン固定化不溶性担体とを接触させて、核酸結合タンパク質とビオチン化核酸とタマビジン固定化不溶性担体との複合体を生成させる工程（工程Ｂ−１）、
２）遊離ビオチンの存在下、pH7.8〜9.5の溶液中で、核酸結合タンパク質が結合したビオチン化核酸を、工程Ｂ−１で得られた該複合体から分離する工程（工程Ｂ−２）。【００１４】
（３）下記工程を含んでなる、核酸結合タンパク質の分離方法：
１）核酸結合タンパク質を含有する試料と、核酸にビオチンを結合させたビオチン化核酸と、タマビジン固定化不溶性担体とを接触させて、核酸結合タンパク質とビオチン化核酸とタマビジン固定化不溶性担体との複合体を生成させる工程（工程Ｃ−１）、
２）遊離ビオチンの存在下、pH7.8〜9.5の溶液中で、核酸結合タンパク質が結合したビオチン化核酸を、工程Ｃ−１で得られた該複合体から分離する工程（工程Ｃ−２）。
３）工程Ｃ−２で得られた核酸結合タンパク質が結合したビオチン化核酸から、核酸結合タンパク質を分離する工程（工程Ｃ−３）。【００１５】
（４）タマビジンを固定化した不溶性担体を含んでなる試薬と、混合後の溶液のpHが7.8〜9.5となるような試薬とを構成試薬として含んでなる核酸分離用キット。【００１６】
本発明者等は、上記問題点を解決すべく鋭意研究の結果、タマビジンに対して過剰量の遊離ビオチンの存在下、溶液のpHを7.8〜9.5のアルカリ性にシフトさせることにより、ビオチン化核酸とタマビジン２固定化不溶性担体との複合体からビオチン化核酸が効率よく分離することを見出し、本発明を完成した。
【発明の効果】
【００１７】
本発明によれば、本発明に係るタマビジン固定化不溶性担体を用い、タマビジンに対して過剰量の遊離ビオチンの存在下、溶液のpHを7.8〜9.5のアルカリ性にシフトさせることにより、ビオチン化核酸を効率よく且つ精度よく取得することができる。【００１８】
また、本発明の方法によれば、核酸結合タンパク質とビオチン化核酸の複合体を効率よく且つ高精度に取得することができる。更に、結合する核酸結合タンパク質が未知な核酸であっても、未知の核酸結合タンパク質と核酸の複合体を単離できる。以上のことから、本発明はノンコーディング核酸の機能解析や、核酸結合タンパク質の研究にも有用である。
【図面の簡単な説明】
【００１９】
【図１】図１は実施例１において得られた結果を示し、各種溶出バッファーを用いてタマビジン２-REV担体からのビオチン化RNAの回収効率の比較を行ったグラフである。
【図２】図２は実施例２において得られた結果を示し、(１)は各種溶出バッファーを用いてビオチン化7SK ssDNAとタマビジン2-REV固定化磁気ビーズとの複合体からのビオチン化7SK ssDNAの回収効率を調べた結果を示すグラフである。また(２)は各種溶出バッファーを用いてビオチン化7SK dsDNAとタマビジン2-REV固定化磁気ビーズとの複合体からのビオチン化7SK dsDNAの回収効率を比較したグラフである。
【図３】図３は比較例１において得られた結果を示し、各種溶出バッファーを用いて、核酸に結合していないビオチン担体からのタマビジン２-REVの回収効率の比較を比較したグラフである。
【図４】図４は実施例３において得られた結果を示し、それぞれpHの異なる各種溶出バッファーを用いて、タマビジン２-REV担体からのビオチン化RNAの回収効率の比較を行うことにより、溶出バッファーの有効なpH範囲の検証を行った結果である。
【図５】図５は実施例４において得られた結果を示し、各種溶出バッファーを用いてRNAプルダウンアッセイにおけるタマビジン２-REV担体からのビオチン化RNAに結合したRNA結合タンパク質の溶出効率の比較をおこなったウェスタンブロットの結果である。
【発明を実施するための最良の形態】
【００２０】
以下、本明細書においては「分離」と「解離」の語句を特に区別して使用しない。【００２１】
また、本明細書において、便宜上例えば［ビオチン化核酸とタマビジン固定化不溶性担体の複合体］のように、ひとつの複合体を［  ］でまとめて表示する場合がある。【００２２】
［タマビジン］
本発明に係るタマビジンとしては、食用キノコのタモギタケ（Pueurotus conucopiae）から得られたアビジン様ビオチン結合性タンパク質であって、ビオチンと可逆的に結合する性質を持つものが挙げられる。【００２３】
具体的には、（i）WO2002/072817（特許文献１）に開示されたタマビジン１並びにその改変型、特許文献１に開示されたタマビジン２並びにその改変型、及び特開平2011-55827号（特許文献２）に開示されたタマビジン２の改変型であり、(ii)且つ酸性から中性域ではビオチン化核酸（ビオチンを結合させてビオチン標識した核酸。以下同じ。）のビオチンと結合するが、タマビジンに対して過剰量の遊離ビオチン（タマビジンに対して40〜4000倍モル）存在下で、且つアルカリ性条件下、好ましくはpH7.8〜9.5の条件下ではビオチン化核酸のビオチンとの結合が解離するという、ビオチンと可逆的に結合する性質を持つものが、挙げられる。【００２４】
上記タマビジン１、タマビジン２、及びこれらの改変型の中でも、特許文献２に開示された改変型タマビジン２であるTM2 S36A、TM2 D116A、TM2 P46T-T78A、TM2 P46T-D116A、TM2 P46T-T78A-D116A、TM2 T78A、TM2 T78A-D116Aが好ましい。その中でもTM2 S36Aが特に好ましい。【００２５】
本発明に係るタマビジン２のアミノ酸配列は特許文献１に配列番号２として開示されている。また、TM2 S36Aのアミノ酸配列は、特許文献２に配列番号４として開示されている。TM2 S36Aのアミノ酸配列を本明細書では配列番号１として示す。TM2 S36Aは、タマビジン２のアミノ酸配列のＮ末端から３６番目のセリンがアラニンに置換したアミノ酸配列を持つ。【００２６】
本明細書において、上記したタマビジン１、タマビジン２、及びこれらの改変型を総称して、単に「本発明に係るタマビジン」、又は単に「タマビジン」と略記する場合がある。また、上記したタマビジン２及びその改変型を総称して、単に「本発明に係るタマビジン２」と略記する場合がある。【００２７】
また本発明に係るタマビジンには、上記した本発明に係るタマビジンのアミノ酸配列又はその１個もしくは数個のアミノ酸が欠失、置換、もしくは付加されたアミノ酸配列を有するもの、又は上記した本発明に係るタマビジンのアミノ酸配列と７０％、好ましくは８０％、より好ましくは９５％、さらにより好ましくは９７％以上の配列相同性を有するアミノ酸配列を有するものであって、上記(ii)の性質を持つものが含まれる。【００２８】
さらに本発明に係るタマビジンには、配列番号１で表されるアミノ酸配列の１個もしくは数個のアミノ酸が欠失、置換、もしくは付加されたアミノ酸配列を有するもの、又は配列番号１で表されるアミノ酸配列と７０％、好ましくは８０％、より好ましくは９５％、さらにより好ましくは９７％以上の配列相同性を有するアミノ酸配列を有するものであって、上記(ii)の性質を持つものが含まれる。【００２９】
TM2 S36Aは、和光純薬工業(株)より「タマビジン２-REV」という商品名で市販されている。以下、本明細書ではTM2 S36Aを「タマビジン２-REV」と記載する。【００３０】
また、本発明に係るタマビジンは、例えば特許文献１及び特許文献２に開示された遺伝学的方法で製造したリコンビナント品であってもよい。【００３１】
さらに、本発明に係るタマビジンは市販されているものであってもよい。例えば上記したタマビジン２-REV（和光純薬工業(株)製）が挙げられる。【００３２】
［タマビジン固定化不溶性担体］
本発明に係るタマビジンは、不溶性担体に固定化（担持）させて用いる。【００３３】
本発明に係る不溶性担体としては、通常この分野で用いられる担体であれば何れも使用可能である。例えばセルロースやその誘導体などの天然高分子化合物；ポリスチレン，ポリアクリル酸，ポリメタクリル酸，ポリアクリルアミド，ポリグリシジルメタクリレート，ポリプロピレン，ポリ塩化ビニール，ポリエチレン，ポリクロロカーボネート，シリコーン樹脂，シリコーンラバー，ポリオレフィン，ポリアミド，ポリイミド，ポリウレタン，ポリエステル等の合成高分子化合物；多孔性ガラス，スリガラス，アルミナ，シリカゲル，酸化珪素，ケイソウ，活性炭，金属酸化物等の無機物質等；を材料として調製されたものが挙げられる。【００３４】
また、これら担体は、粒子（ラテックス粒子、ビーズ、磁気ビーズ等）、チューブ、カーボンナノチューブ、チップ、ディスク状片、微粒子、薄膜、微細管、プレート、マイクロプレート、フィルター、等多種多様の形態で使用し得る。【００３５】
これらの形態の中でも特に操作性の点から粒子が好ましい。【００３６】
中でも、磁性ラテックス粒子（磁性粒子を内包させたラテックス粒子）等の、磁性体が含有されている磁性粒子（磁気ビーズ）が、磁力を利用して良好にB/F分離を行うことができることから、より好ましい。例えば、市販されている生化学用磁気ビーズ（DynabeadsTM (サーモフィッシャーサイエンティフィック(株)製)等）が挙げられる。【００３７】
不溶性担体の大きさは、粒子又は微粒子の場合は、溶液中で分散しやすい大きさであればよい。例えば磁気ビーズの場合、その直径は通常0.1〜10μm、好ましくは0.1〜5μm、より好ましくは1〜3μmである。【００３８】
不溶性担体が粒子又は微粒子以外の場合は、それぞれの不溶性担体の種類に応じて、通常この分野で使用される大きさを適宜選択すればよい。【００３９】
本発明に係るタマビジンを不溶性担体に固定化させるには、タマビジンを含有するタマビジン溶液と不溶性担体とを接触させることによって行えばよい。また、例えば、共有結合により固定化する方法、物理的に吸着させて固定化する方法等のタンパク質を担体に結合させるための公知の方法で行うことも可能である。具体的な固定化方法は、不溶性担体の種類等に応じて、適宜選択すればよい。【００４０】
例えばタマビジン固定化磁気ビーズは、磁気ビーズをタマビジン溶液と１〜６時間程度、好ましくは３〜５時間程度接触させる（例えば磁気ビーズをタマビジン水溶液に浸漬させる。）ことにより、容易に調製することができる。【００４１】
市販の磁気ビーズを用いる場合は、商品に添付のプロトコールに従って、本発明に係るタマビジンを磁気ビーズに固定化すればよい。【００４２】
不溶性担体に担持させるタマビジンの量は、その不溶性担体の種類により異なるが、不溶性担体が粒子又は微粒子の場合は、不溶性担体１mgに対して通常0.5〜2000μg、好ましくは2〜500μgである。不溶性担体が磁気ビーズの場合、磁気ビーズに固定化させるタマビジンの量は、磁気ビーズ１mgに対して通常0.5〜200μg、好ましくは2〜100μg、より好ましくは20〜80μgである。【００４３】
不溶性担体が粒子又は微粒子以外の場合に、該担体に担持させるタマビジンの量は、それぞれの不溶性担体の種類に応じて、適宜調製すればよい。【００４４】
不溶性担体に本発明に係るタマビジンを固定化した後、任意の方法によりタマビジン溶液から分離する。不溶性担体の分離方法としては、使用した不溶性担体の種類に応じて、デカンテーション、遠心分離、フィルター分離などの任意の方法を用いればよい。磁気ビーズを用いる場合には、磁気分離法によって簡便にタマビジン溶液からタマビジン固定化磁気ビーズを分離することができる。【００４５】
本発明に係るタマビジン固定化不溶性担体は上記したような自体公知の方法で作成しても得られるが、本発明に係るタマビジンが固定化された不溶性担体の市販品でもよい。例えばMagCapture TMタマビジンTM2-REV (和光純薬工業(株)製)が挙げられる。【００４６】
［核酸］
本発明に係る、核酸にビオチンを結合させたビオチン化核酸に用いられる核酸としては、デオキシリボ核酸（DNA）でもリボ核酸（RNA）でもよく、特に限定されない。【００４７】
核酸は一本鎖が好ましい。【００４８】
また、本発明に係る核酸の種類は特に限定されないが、例えば後記の（工程Ｂ−１）に関する説明の中で記載するような核酸結合タンパク質が結合して、該核酸結合タンパク質と複合体を形成する性質を持つ核酸が挙げられる。その例として例えばRNAの場合は、生体内でタンパク質をコードしない非翻訳RNA（ノンコーディングRNA、non-coding RNA: ncRNA）が挙げられる。【００４９】
ノンコーディングRNAとしては、例えば、200塩基以上の鎖長の長鎖ノンコーディングRNA（long non-coding RNA : lncRNA）；マイクロRNA（microRNA : miRNA）、small interfering RNA（siRNA）、核内低分子RNA（small nuclear RNA（snRNA））、核小体低分子RNA（small nucleolar RNA（snoRNA））、repeat asociated small interfering RNA（rasiRNA）、trans-acting siRNA（tasiRNA）、PIWI interacting RNA（piRNA）等の、全長が5〜200塩基程度又はそれ以下の低分子RNA（small RNA、miRNA等）；等が挙げられる。【００５０】
lncRNAとしては、例えばHOTAIR RNAが挙げられる。核内低分子RNAとしては、例えば7SK snRNAが挙げられる。【００５１】
DNAの場合は、転写因子やエンハンサンーが結合する遺伝子発現調節領域（の塩基配列等）等が挙げられる。【００５２】
また、その核酸に結合する核酸結合タンパク質が存在するか不明な核酸も、本発明に係る核酸に含まれる。【００５３】
［ビオチン化核酸］
本発明に係るビオチン化核酸は、上記した本発明に係る核酸をビオチンと結合させてビオチン化（ビオチン標識）することにより得られる。【００５４】
核酸をビオチンで標識する方法としては、in vitro転写反応（非特許文献３）、Terminal Deoxynucleotidyl Transferase（TdT）等を用いた酵素標識法、DNA合成中にビオチン phosphoramidite を使用して５'末端にビオチンを導入する方法、ビオチン化プライマーを用いたPCRによる末端標識を行う方法、biotin-X-NHSエステルTM を使用して、化学的にビオチン化する方法、Klenow DNA ポリメラーゼ、nick translation あるいはmixed primer labeling法により酵素的に二本鎖 DNA の標識を行う方法、等の常法が挙げられるが、これに限定されない。ビオチンで標識する対象の核酸の種類等に応じて、適宜選択すればよい。一般には、in vitro転写反応がよく行われる。【００５５】
核酸に結合させるビオチンの量は、5pmol〜100pmol、好ましくは15pmol〜50pmol、より好ましくは20pmol〜30pmolである。【００５６】
また、ビオチン化核酸は、専門業者に製造を委託することでも入手することができる。【００５７】
以下に、in vitro転写反応を利用した、ビオチン化RNAの製造方法を例示する。【００５８】
目的のRNAをコードする遺伝子配列を持つDNAを、ベクター（制限酵素部位の近傍にT7プロモーター、Sp6プロモーター等のプロモーター部位を持つ）の制限酵素部位を利用して、該ベクターに組み込む（クローニングする）。得られた組換えベクターの組換えDNA部分を鋳型にして、例えばT7プライマーとSp6プライマーを用いたPCR増幅反応を行い、RNAの遺伝子配列を増幅させる。得られたPCR増幅産物について、アガロース電気泳動等の通常の電気泳動と、ゲル抽出精製を行い、目的のRNAの遺伝子配列とT7プロモーター配列及びSp6プロモーター配列が含まれるPCR増幅産物を精製する。【００５９】
目的のRNA遺伝子配列を組み込むベクターとしては、目的のRNA遺伝子配列を組み込め、組み込む制限酵素部位の近傍にT7プロモーター、Sp6プロモーター、T3プロモーター等のプロモーター部位を持つものが扱いやすいので、好ましい。市販品としては、例えばpGEM-T Easyベクター（promega社）、pBluescript II SK(+/-) (Stratagene)等が挙げられる。【００６０】
得られたPCR増幅産物を鋳型として、常法によるin vitro転写反応を行ってRNA合成を行う。RNA合成を行うためのキット（例えばサーモフィッシャーサイエンティフィック(株)のMEGAscriptTM T7 Transcription Kit等）が市販されているので、それを用いてRNA合成を行えばよい。RNA合成の際に基質として用いるヌクレオチドとして、ATP、GTP、CTP、及びUTPとBiotin-16-UTP（Roche社製）をモル比で3:1の比率で混合したものを用いる。そうすることにより、ビオチン化したRNAを得ることができる。次いで常法により得られたビオチン化RNAを精製する。
【００６１】
[Ａ．本発明のビオチン化核酸の分離方法]
本発明のビオチン化核酸の分離方法は、下記の工程を含んでなる。
「（１）ビオチン化核酸を含有する試料と、タマビジン固定化不溶性担体とを接触させて、ビオチン化核酸とタマビジン固定化不溶性担体との複合体を生成させる工程（工程Ａ−１）、
（２）遊離ビオチンの存在下、pH7.8〜9.5の溶液中で、ビオチン化核酸を該複合体から分離する工程（工程Ａ−２）。」【００６２】
（工程Ａ−１）
本発明の核酸結合タンパク質の分離方法の工程Ａ−１は、「ビオチン化核酸を含有する試料と、タマビジン固定化不溶性担体とを接触させて、ビオチン化核酸とタマビジン固定化不溶性担体との複合体を生成させる工程」である。【００６３】
工程Ａ−１に係るビオチン化核酸を含有する試料とは、上記した本発明に係る核酸をビオチン化したビオチン化核酸を含有するもので、工程Ａ−１では溶液状態にして用いられる。【００６４】
ビオチン化核酸を含有する溶液を調製するために用いられる溶媒としては、RNaseフリーの超純水や緩衝液が挙げられる。緩衝液としては、通常この分野で使用されるものであれば特に限定されないが、通常pH 6.0〜8.5、好ましくはpH 7.0〜8.0、より好ましくはpH 7.0〜7.5の中性付近に緩衝作用を有するものが挙げられる。具体的には、例えばリン酸緩衝生理食塩水(PBS)、HEPES緩衝液、ホウ酸緩衝液、トリス緩衝液、リン酸緩衝液、ベロナール緩衝液、グッド緩衝液等が挙げられる。また、これらの緩衝液の緩衝剤濃度としては、通常10〜100 mM、好ましくは10〜50 mMの範囲から適宜選択される。【００６５】
上記のような溶媒にビオチン化核酸を含有する溶液を懸濁させた試薬溶液中のビオチン化核酸の濃度は、タマビジン固定化不溶性担体又はこれを含有する溶液と混合したときに、目的の濃度範囲になるような濃度であればよい。例えば1〜100ng/μL、好ましくは1〜50ng/μL、更に好ましくは10〜50ng/μLである。【００６６】
ビオチン化核酸を含有する溶液のpHは、ビオチン化核酸の安定性を考慮して、pH 6.0〜8.0程度が好ましい。【００６７】
尚、ビオチン化核酸を含有する溶液には、更に増感剤、界面活性剤、防腐剤（例えばアジ化ナトリウム、サリチル酸、安息香酸等）、安定化剤（例えばアルブミン、グロブリン、水溶性ゼラチン、界面活性剤、糖類等）、賦活剤、共存物質の影響回避剤等、その他この分野で用いられているものであって、ビオチン化核酸とタマビジン固定化不溶性担体の複合体を生成する反応を阻害・抑制しないものを有していてもよい。またこれら試薬類等の濃度範囲等も、自体公知の該測定方法において通常用いられる濃度範囲等を適宜選択して用いればよい。【００６８】
工程Ａ−１で用いられるタマビジン固定化不溶性担体は、溶媒に懸濁させた溶液（懸濁液）（以下、「タマビジン固定化不溶性担体溶液）と記載する。）の形態であっても、溶液を除いたペレットの状態でもよい。溶液の形態で用いる場合、タマビジン固定化不溶性担体を懸濁させる溶媒としては、通常この分野で使用されるものであれば特に限定されないが、通常pH 6.0〜8.5、好ましくはpH 7.0〜8.0の中性付近に緩衝作用を有する緩衝液が挙げられる。具体的には、例えばリン酸緩衝生理食塩水(PBS)、HEPES緩衝液、ホウ酸緩衝液、トリス緩衝液、リン酸緩衝液、ベロナール緩衝液、グッド緩衝液等が挙げられる。また、これらの緩衝液の緩衝剤濃度としては、通常10〜100 mM、好ましくは10〜50 mMの範囲から適宜選択される。【００６９】
上記のようなタマビジン固定化不溶性担体溶液中のタマビジンの濃度は、ビオチン化核酸を含有する溶液と混合したときに、目的の濃度範囲になるような濃度であればよい。例えば0.01mM〜0.2mM、好ましくは0.02mM〜0.1mM、より好ましくは0.02mM〜0.05mM、更に好ましくは0.03mM〜0.05mMである。【００７０】
また、タマビジン固定化不溶性担体溶液中の不溶性担体の含量としては、用いられる担体の種類により異なるが、担体が磁気ビーズ粒子等の粒子の場合、通常0.05mg〜10mg、好ましくは0.1mg〜1mg、更に好ましくは0.2mg〜0.5mgである。【００７１】
また、タマビジン固定化不溶性担体溶液のpHは、タマビジン固定化不溶性担体の安定性を考慮して、pH 6.0〜8.0程度が好ましい。【００７２】
尚、タマビジン固定化不溶性担体溶液は、更に増感剤、界面活性剤、防腐剤（例えばアジ化ナトリウム、サリチル酸、安息香酸等）、安定化剤（例えばアルブミン、グロブリン、水溶性ゼラチン、界面活性剤、糖類等）、賦活剤、共存物質の影響回避剤等の、その他この分野で用いられているものであって、ビオチン化核酸とタマビジン固定化不溶性担体の複合体を生成する反応を阻害・抑制しないものを含有していてもよい。またこれら試薬類等の濃度範囲等も、自体公知の該測定方法において通常用いられる濃度範囲等を適宜選択して用いればよい。
【００７３】
工程Ａ−１において、ビオチン化核酸を含有する試料とタマビジン固定化不溶性担体とを接触させる方法は、使用する不溶性担体の種類に応じて、適宜選択され、最終的に［ビオチン化核酸とタマビジン固定化不溶性担体との複合体］又は該複合体の溶液が得られる方法であればよい。【００７４】
例えば、不溶性担体が粒子や微粒子等の場合には、ビオチン化核酸を含有する試料とタマビジン固定化不溶性担体とを混合するか、ビオチン化核酸を含有する試料とタマビジン固定化不溶性担体溶液とを混合する方法が挙げられる。【００７５】
不溶性担体がチップやプレート等の場合には、本発明のタマビジンを固定化した不溶性担体と、ビオチン化核酸を含有する試料とを接触させればよい。タマビジンを不溶性担体に固定化する方法は、この分野で通常行われている常法が挙げられる。【００７６】
工程Ａ−１においてビオチン化核酸を含有する試料とタマビジン固定化不溶性担体とを接触・反応させる際の、ビオチン化核酸の反応液中の濃度は、例えば0.1〜100ng/μL、好ましくは0.5〜50ng/μL、更に好ましくは1〜20ng/μLである。【００７７】
工程Ａ−１においてビオチン化核酸を含有する試料とタマビジン固定化不溶性担体とを接触・反応させる際の、タマビジンの反応液中の濃度は、試料中のビオチン化核酸の濃度により異なり、特に限定されないが、通常0.001mM〜0.2mMである。【００７８】
工程Ａ−１において、ビオチン化核酸を含有する試料とタマビジン固定化不溶性担体とを接触・反応させる際の反応液中のタマビジン固定化不溶性担体の含量としては、用いられる担体の種類により異なるが、不溶性担体が粒子又は微粒子の場合、通常0.001〜10mg、好ましくは0.005〜5mgである。不溶性担体が磁気ビーズ粒子の場合、通常0.05〜10mg、好ましくは0.1mg〜1mgである。【００７９】
また、ビオチン化核酸を含有する試料とタマビジン固定化不溶性担体とを接触・反応させる際の反応液のpHとしては、ビオチン化核酸とタマビジン固定化不溶性担体の複合体を生成する反応を阻害・抑制しない範囲であれば特に限定されず、4.0〜8.0、好ましくは7.0〜7.5の範囲が挙げられる。【００８０】
反応時の温度も該複合体を生成する反応を阻害・抑制せず、また生成した該複合体を分離させない範囲であれば特に限定されず、通常３〜50℃、好ましくは３〜25℃の範囲が挙げられる。また、その反応時間は、用いるビオチン化核酸及びタマビジン固定化不溶性担体の種類、pH及び温度等の反応条件により異なるが、0.1〜24時間程度、好ましくは１〜５時間程度である。反応時必要に応じて撹拌処理を行ってもよい。【００８１】
上記工程Ａ−１の反応後、得られた反応溶液から、［ビオチン化核酸とタマビジン固定化不溶性担体の複合体］を分離することが好ましい。その方法は、使用する不溶性担体の種類に応じて適宜選択される。例えば、デカンテーション、遠心分離、フィルター分離などの従来の方法を行ってもよい。不溶性担体として磁気ビーズを用いた場合は、磁石を用いて磁気ビーズと溶液とを分離することができる。【００８２】
更に、当該複合体の不溶性担体に付着した夾雑物を除くために、得られた不溶性担体を適当な洗浄液を用いて洗浄処理を行うことが好ましい。洗浄液としては、通常この分野で用いられている緩衝液等が挙げられる。例えば、6.0〜7.5の中性付近に緩衝作用を有するPBSや緩衝液等が好ましい。更に、該洗浄液には、通常この分野で使用される界面活性剤や、NaCl,MgCl2等の塩が含有されていてもよい。
【００８３】
（工程Ａ−２）
本発明のビオチン化核酸の分離方法の工程Ａ−２は、「遊離ビオチンの存在下、pH7.8〜9.5の溶液中で、ビオチン化核酸を、工程Ａ−１で得られた該複合体から分離する工程」である。【００８４】
本発明に係る遊離ビオチンとは、核酸に結合していない、溶液中に遊離状態で存在するビオチンを意味する。【００８５】
工程Ａ−２では、工程Ａ−１で得られた[ビオチン化核酸とタマビジン固定化不溶性担体の複合体]を、遊離ビオチンとpH7.8〜9.5の溶液状態で接触・反応させる。【００８６】
その方法は、該複合体と遊離ビオチンとを含有するpH7.8〜9.5の溶液が得られるような方法であればよい。【００８７】
例えば以下の方法が挙げられる。
（１）[ビオチン化核酸とタマビジン固定化不溶性担体の複合体]又は該複合体を含有する溶液を遊離ビオチンを含有する溶液と混合した後、混合後の溶液のpHが7.8〜9.5となるような溶液と混合する方法、
（２）該複合体又は該複合体を含有する溶液を、混合後の溶液のpHが7.8〜9.5となるような溶液と混合した後、遊離ビオチンを含有する溶液と混合する方法、
（３）該複合体又は該複合体を含有する溶液を、遊離ビオチンを含有する、混合後の溶液のpHが7.8〜9.5となるような溶液と混合する方法。【００８８】
上記 (１)〜(３)の方法の中でも、作業効率等を考慮すると、（３）の方法が最も簡便であり、好ましい。【００８９】
特に、（３）の方法であって、工程Ａ−１で得られた［ビオチン化核酸とタマビジン固定化不溶性担体の複合体］を含有する溶液から不溶性担体の性質に応じた方法で溶媒を除去した後、該複合体を、遊離ビオチンを含有する、混合後の溶液のpHが7.8〜9.5となるような溶液と混合する方法が、簡便である。【００９０】
この場合、溶媒を除去した後に混合後の溶液のpHが7.8〜9.5となるような溶液と混合することになるので、使用する該溶液は、pHが7.8〜9.5の溶液であればよい。【００９１】
工程Ａ−２に係る［ビオチン化核酸とタマビジン固定化不溶性担体との複合体］を含有する溶液に用いられる溶媒としては、例えば上記工程Ａ−１に記載したタマビジン固定化不溶性担体を懸濁させる溶媒と同じものが挙げられるが、特に限定されない。【００９２】
工程Ａ−２で用いられる遊離ビオチンを含有する溶液を調製するために用いられる溶媒としては、例えばリン酸カリウム緩衝液、トリス緩衝液、リン酸緩衝生理食塩水(PBS)、HEPES緩衝液、ホウ酸緩衝液、リン酸緩衝液、ベロナール緩衝液、グッド緩衝液等が挙げられる。また、これらの緩衝液の緩衝剤濃度としては、通常10〜1000mM、好ましくは10〜100 mMの範囲から適宜選択される。【００９３】
遊離ビオチンを含有する溶液中の遊離ビオチンの濃度は、［ビオチン化核酸とタマビジン固定化不溶性担体との複合体］と混合したとき、又は当該複合体を含有する溶液と混合したときに、pH7.8〜9.5で該複合体をビオチン化核酸とタマビジン固定化不溶性担体とに分離できるような過剰量になる濃度であればよい。具体的には、［ビオチン化核酸とタマビジン固定化不溶性担体との複合体］と混合したとき、又は当該複合体を含有する溶液と混合したときに、混合液中の該複合体の不溶性担体に担持されたタマビジンに対して40〜4000倍モルになるような濃度、例えば混合液中の該複合体の不溶性担体に担持されたタマビジン0.01〜0.05mMに対して2〜40mMとなるような濃度である。100〜4000倍モル程度がより好ましい。【００９４】
遊離ビオチン含有溶液には、更に増感剤、界面活性剤、防腐剤（例えばアジ化ナトリウム、サリチル酸、安息香酸等）、安定化剤（例えばアルブミン、グロブリン、水溶性ゼラチン、界面活性剤、糖類等）、賦活剤、共存物質の影響回避剤その他この分野で用いられているものを含有していてもよい。またこれら試薬類等の濃度範囲等も、自体公知の該測定方法において通常用いられる濃度範囲等を適宜選択して用いればよい。【００９５】
工程Ａ−２で用いられる、混合後の溶液のpHが7.8〜9.5となるような溶液としては、例えばpH7.8〜9.5付近に緩衝作用を有する緩衝液が挙げられ、具体的には、例えばリン酸カリウム緩衝液、トリス緩衝液、リン酸緩衝液、ベロナール緩衝液、グッド緩衝液、リン酸緩衝生理食塩水(PBS)、HEPES緩衝液、ホウ酸緩衝液、等が挙げられる。また、これらの緩衝液の緩衝剤濃度としては、通常10〜1000 mM、好ましくは10〜100 mMの範囲から適宜選択される。【００９６】
工程Ａ−２で溶液状態でない［ビオチン化核酸とタマビジン固定化不溶性担体との複合体］を用いる場合、例えば上記工程Ａ−２が（３）該複合体を、遊離ビオチンを含有する、混合後の溶液のpHが7.8〜9.5となるような溶液と混合する方法、の場合には、混合後のpHが7.8〜9.5となるような溶液として、pH7.8〜9.5付近に緩衝作用を有する緩衝液を用いればよい。【００９７】
尚、本明細書において、混合後の溶液のpHが7.8〜9.5となるような溶液、又は遊離ビオチンを含有する、混合後の溶液のpHが7.8〜9.5となるような溶液を、「溶出バッファー」と記載する場合がある。【００９８】
工程Ａ−２で該複合体と遊離ビオチンをpH7.8〜9.5で接触・反応させる際の反応液中の遊離ビオチンの濃度は、あまり濃度が高くても無駄になるので、該反応液中のタマビジン濃度、すなわち該反応液中の不溶性担体に担持されたタマビジンに対して40〜4000倍モル程度である。また、該反応液のpHは7.8〜9.5である。【００９９】
工程Ａ−２で該複合体と遊離ビオチンをpH7.8〜9.5で接触・反応させる際の反応時の温度は、通常３〜50℃、好ましくは３〜25℃の範囲が挙げられる。また、その反応時間は、用いるビオチン化核酸及びタマビジン固定化不溶性担体の種類、pH及び温度等の反応条件により異なるので、各々に応じて１〜360分程度、好ましくは10〜180分程度、より好ましくは10〜30分程度である。反応時必要に応じて撹拌処理を行ってもよい。【０１００】
尚、ビオチン化核酸の核酸がRNAの場合、工程Ａ−２におけるビオチン化核酸が該複合体から分離する際の溶液のpHがpH9.5以上のアルカリ性になると、RNAが変性してしまう可能性がある。ビオチン化核酸の核酸がDNAの場合は、pH9.5以上のアルカリ性条件下でも変性する心配はない。【０１０１】
しかし、pH9.5以上のアルカリ条件下でビオチン化DNAを分離した場合には、この後の作業（ビオチン化核酸を使用する場合等）を考慮して溶液の中和処理等を行う必要が生じる場合があり、作業が繁雑になる。また、自動分析装置を用いて本発明を実施する場合、あまり高アルカリ条件下で実施するのは、使い勝手が良くないので好ましくない。更に、核酸結合タンパク質の種類によっては、高アルカリ条件下では変性してしまうおそれもある。【０１０２】
そのため、ビオチン化核酸がRNAの場合もDNAの場合も、工程Ａ−２におけるpHは、好ましくはpH7.8〜9.5、より好ましくはpH8.0〜9.0、更に好ましくはpH8.2〜8.8である。pH8.5付近が特に好ましい。【０１０３】
本発明のビオチン化核酸の分離方法を、工程Ａ−２が前記（３）の方法（該複合体又は該複合体を含有する溶液を、遊離ビオチンを含有する、混合後の溶液のpHが7.8〜9.5となるような溶液と混合する方法。）の場合を例にとって具体的に示すと、例えば以下の如くなる。【０１０４】
タマビジン2-REV固定化磁気ビーズ 0.05〜1mg（タマビジン担持量は磁気ビーズ1mgに対して0.5〜2000μg、0.3nM〜1.3μM）をチューブへ加え、洗浄処理後、洗浄液を除く。次いで、10〜50ng/μLのビオチン化RNAを含有する溶液を加え、攪拌しながら通常３〜50℃、好ましくは３〜25℃で0.1〜24時間、好ましくは１〜５時間程度反応させてビオチン化RNAとタマビジン2-REV固定化磁気ビーズの複合体を生成させる。反応後、磁気スタンドを用いて磁気ビーズと溶液を分離する。ビーズを数回洗浄処理した後、洗浄液を除く。次に、溶出バッファー（5〜20mMのビオチンを含む50mM Tris-HCl pH9.0）15〜40μLをチューブに添加し、攪拌しながら通常３〜50℃、好ましくは３〜25℃で１〜360分間、好ましくは10〜180分間、更に好ましくは10〜30分間反応させる。反応後、磁気スタンドを用いて該複合体から分離したビオチン化核酸を含む溶出液を分離・回収する。以上の操作により、ビオチン化核酸を分離することができる。【０１０５】
工程Ａ−２を実施することにより、[ビオチン化核酸とタマビジン固定化不溶性担体との複合体]がpH7.8〜9.5の溶液中で、タマビジンに対して40〜4000倍モルの遊離ビオチンと反応し、ビオチン化核酸が該複合体から分離する。【０１０６】
次いで、溶液中に分離して存在するビオチン化核酸と、タマビジン固定化不溶性担体とを、使用した不溶性担体の種類に応じた常法により分離することにより、ビオチン化核酸を含有する溶液を容易に得ることができる。例えば、不溶性担体として磁気ビーズを用いた場合には、磁気分離によってタマビジン固定化磁気ビーズを分離すれば、ビオチン化核酸を含有する溶液を得ることができる。【０１０７】
ビオチン化核酸とタマビジン固定化不溶性担体を分離後の該タマビジン固定化不溶性担体又はその溶液に、遊離ビオチンを含有する溶液と、混合後のpHが7.8〜9.5となるような溶液を加えるか、遊離ビオチンを含有する混合後のpHが7.8〜9.5となるような溶液を再度加えて、該タマビジン固定化不溶性担体上に残存しているビオチン化核酸を分離する工程を複数回行い、ビオチン化核酸を含有する溶液を複数回回収してもよい。【０１０８】
また、必要に応じ、さらに公知の核酸抽出法等で核酸を精製することにより、工程Ａ−２で得られたビオチン化核酸を含有する溶液からビオチン化核酸を回収してもよい。例えば、フェノール/クロロフォルム抽出や市販の核酸精製キット等を使用する方法が挙げられる。【０１０９】
ビオチンとタマビジン2-REVの結合は、過剰量の遊離ビオチンを加えることにより分離（解離）することは知られている。また、この性質を利用して、ビオチン化タンパク質とタマビジン2-REV固定化不溶性担体との複合体に過剰量の遊離ビオチンを加えることにより、ビオチン化タンパク質のビオチンとタマビジン2-REV固定化不溶性担体のタマビジン2-REVとの結合を解離させ、ビオチン化タンパク質を得ることは知られている（非特許文献１）。しかしながら、ビオチン化タンパク質に代えてビオチン化核酸を用いた場合には、ビオチン化核酸とタマビジン2-REVの結合は、過剰量の遊離ビオチンを加えただけでは十分に遊離させることができなかった。
【０１１０】
本発明のこの工程Ａ−２で、過剰量の遊離ビオチン（本発明に係るタマビジンに対して40〜4000倍モルの遊離ビオチン）の存在下に、当該複合体を含有する溶液のpHを7.8〜9.5に調整することにより、核酸結合タンパク質が結合したビオチン化核酸と、タマビジン固定化不溶性担体との解離効率が向上し、ビオチン化核酸を収率よく回収することが可能になった。【０１１１】
[Ｂ．本発明の核酸結合タンパク質が結合したビオチン化核酸の分離方法]
本発明の、核酸結合タンパク質が結合したビオチン化核酸の分離方法は、以下の工程より成る。
（１）核酸結合タンパク質を含有する試料と、ビオチン化核酸と、タマビジン固定化不溶性担体とを接触させて、核酸結合タンパク質とビオチン化核酸とタマビジン固定化不溶性担体との複合体を生成させる工程（工程Ｂ−１）、
（２）遊離ビオチンの存在下、pH7.8〜9.5の溶液中で、核酸結合タンパク質が結合したビオチン化核酸を、工程Ｂ−１で得られた該複合体から分離する工程（工程Ｂ−２）。【０１１２】
（工程Ｂ−１）
本発明の、核酸結合タンパク質が結合したビオチン化核酸の分離方法の工程Ｂ−１は、「核酸結合タンパク質を含有する試料と、ビオチン化核酸と、タマビジン固定化不溶性担体とを接触させて、核酸結合タンパク質とビオチン化核酸とタマビジン固定化不溶性担体との複合体を生成させる工程」である。【０１１３】
核酸結合タンパク質としては、本発明に係る核酸に結合し得るタンパク質であればよく、特に限定されない。二本鎖DNA結合タンパク質、一本鎖DNA結合タンパク質、RNA結合タンパク質等が挙げられる。【０１１４】
具体的には、例えば転写因子やヒストン、スプライシング因子や輸送因子、リボゾームタンパク質、核内低分子リボ核タンパク質（snRNPタンパク質）、核小体低分子リボ核酸蛋白質（snoRNPタンパク質）等が挙げられる。
また、上記したHOTAIR RNAには、ポリコーム抑制複合体PRC2の構成因子であるEzh2やLSD1/CoREST/REST複合体のLSD1と結合することが知られており、7SK snRNAはHexim1/2やCDK9, Larp7といったRNA結合タンパク質が結合していることが知られている。これらのRNA結合タンパク質も、本発明に係る核酸結合タンパク質として挙げられる。【０１１５】
工程Ｂ−１に係る核酸結合タンパク質を含有する試料としては、核酸結合タンパク質を適当な溶媒に溶解させた溶液の他、細胞ライセート（細胞抽出液）、細胞培養上清、血漿、血清、尿、唾液、母乳等の体液、あるいはこれらを溶媒に溶解又は懸濁した溶液が挙げられる。【０１１６】
該細胞ライセートとしては、通常溶液１mL中に5×106〜2×107細胞を含有させた後に溶解させたもの、5×106〜2×107細胞の細胞ペレットを溶解させたものが用いられる。【０１１７】
細胞ライセートを得るには、この分野で通常行われている細胞を破壊させる方法であればよいが、タンパク質が熱変性を起こさない、タンパク質が失活しない、タンパク質の回収率がよい、操作が簡便である、等の点から、物理的に細胞を破砕する方法よりは化学的に細胞を可溶化させる方法が好ましい。例えば、界面活性剤を用いて細胞を可溶化させる方法が好ましい。【０１１８】
例えば、5×106〜５×107細胞の細胞ペレットに、界面活性剤を含有する細胞溶解剤を添加し、細胞を懸濁させた後１〜10分間氷上で反応させる。その後20000×gで15分間程度遠心処理し、得られた上清を細胞ライセートとして用いればよい。【０１１９】
細胞溶解剤には、例えば通常この分野で用いられる細胞溶解剤としての界面活性剤を添加した、適当な塩（KCl、NaCl等）やDTT等の還元剤を含む緩衝液が用いられる。該緩衝液としては、例えばpH 5.0〜10.0、好ましくはpH 7.0〜8.0の中性付近に緩衝作用を有する、例えばリン酸緩衝液、トリス緩衝液、グッド緩衝液、グリシン緩衝液、ホウ酸緩衝液等が好ましい。また、緩衝液中の緩衝剤濃度としては、通常10〜500 mM、好ましくは10〜100 mMの範囲から適宜選択される。塩の濃度は、緩衝液中の濃度として通常100〜200 mMである。【０１２０】
細胞を可溶化させる界面活性剤としては、通常この分野で用いられているものであればよく、使用する細胞の種類や使用する緩衝液のpHや塩濃度、等の条件に従って適宜選択すればよい。例えばNP-40、ポリ（オキシエチレン）ノニルフェニルエーテル（和光純薬工業(株)製）、TritonX-100、ジギトニン等が挙げられるが、ポリ（オキシエチレン）ノニルフェニルエーテルが好ましい。その濃度は、核酸結合タンパク質に影響を与えない濃度であって細胞溶解効果のある濃度であればよく、緩衝液全量に対して通常0.01〜1.0％が好ましい。【０１２１】
また、核酸結合タンパク質の溶液や細胞溶解液には、核酸結合タンパク質を分解させないために、通常プロテアーゼ阻害剤及びホスファターゼ阻害剤を含有させる。【０１２２】
また細胞培養上清や体液を用いる場合には、細胞分泌顆粒（エキソソーム）の溶解剤として界面活性剤を添加してもよい。そのために用いられる界面活性剤としては、例えばポリ（オキシエチレン）ノニルフェニルエーテル（和光純薬工業(株)製）、TritonX-100等が挙げられるが、ポリ（オキシエチレン）ノニルフェニルエーテルが好ましい。その添加濃度は、本発明に係る核酸結合タンパク質に影響を与えない濃度であって細胞溶解効果のある濃度であればよく、サンプル全量に対して通常0.01〜0.5％であり、0.05〜0.1％が好ましい。
【０１２３】
工程Ｂ−１に用いられるビオチン化核酸及びそれを含有する溶液、タマビジン固定化不溶性担体及びこれを含有する溶液等の、夫々の構成要素の好ましい態様、具体例及び濃度等については、上記の、該当する各項目及び本発明のビオチン化核酸の分離方法の工程Ａ−１に関する説明に記載したものと同じである。【０１２４】
工程Ｂ−１において、核酸結合タンパク質を含有する試料とビオチン化核酸とタマビジン固定化不溶性担体とを接触させる方法としては、目的の核酸結合タンパク質又は使用する不溶性担体の種類等に応じて適宜選択され、最終的に試料中の核酸結合タンパク質とビオチン化核酸とタマビジン固定化不溶性担体との複合体が得られる方法であればよい。【０１２５】
工程Ｂ−１における核酸結合タンパク質を含有する試料と、ビオチン化核酸と、タマビジン固定化不溶性担体とを接触・反応させる際の、ビオチン化核酸の反応液中の濃度は、該試料0.1〜１mLに対して通常10〜50pmol、好ましくは10〜20pmolである。【０１２６】
工程Ｂ−１において核酸結合タンパク質とビオチン化核酸を含有する試料とタマビジン固定化不溶性担体とを接触・反応させる際の、タマビジンの反応液中の濃度は、試料中のビオチン化核酸の濃度により異なり、特に限定されないが、通常0.001mM〜0.2mMである。【０１２７】
工程Ｂ−１において、核酸結合タンパク質を含有する試料と、ビオチン化核酸と、タマビジン固定化不溶性担体とを接触・反応させる際の反応液中のタマビジン固定化不溶性担体の含量としては、用いられる担体の種類により異なるが、該試料0.1〜１mLに対して、不溶性担体が粒子又は微粒子の場合、通常0.001〜10mg、好ましくは0.005〜5mgである。不溶性担体が磁気ビーズ粒子の場合、通常0.05〜10mg、好ましくは0.1〜１mgである。【０１２８】
工程Ｂ−１において、核酸結合タンパク質を含有する試料と、ビオチン化核酸と、タマビジン固定化不溶性担体とを接触・反応させる際の反応温度は、［核酸結合タンパク質とビオチン化核酸とタマビジン固定化不溶性担体の複合体］を生成する反応を阻害・抑制せず、また生成した該複合体を分離させない範囲であれば特に限定されないが、３〜30℃が好ましい。反応時間は0.1〜24時間、好ましくは１〜５時間である。反応時、必要に応じて撹拌処理を行ってもよい。その他の成分同士を接触・反応させる際の温度及び反応時間は、上記の本発明のビオチン化核酸の分離方法の工程Ａ−１において説明した各条件に従い、適宜選択される。【０１２９】
例えば、核酸結合タンパク質を含有する試料とビオチン化核酸（又はそれを含有する溶液）とタマビジン固定化不溶性担体（又はそれを含有する溶液）とを接触・反応させる際の反応液のpHとしては、核酸結合タンパク質とビオチン化核酸とタマビジン固定化不溶性担体の複合体を生成する反応を阻害・抑制しない範囲であれば特に限定されず、4.0〜8.0、好ましくは7.0〜7.5の範囲が挙げられる。【０１３０】
工程Ｂ−１において各成分を接触・反応させる具体的な方法としては、タマビジン固定化不溶性担体が粒子や微粒子の場合には、例えば以下の方法が挙げられる。
（１）核酸結合タンパク質を含有する試料を、ビオチン化核酸を含有する溶液と混合した後、タマビジン固定化不溶性担体又はタマビジン固定化不溶性担体溶液と混合する方法。
（２）核酸結合タンパク質を含有する試料をタマビジン固定化不溶性担体又はタマビジン固定化不溶性担体溶液と混合した後、ビオチン化核酸を含有する溶液と混合する方法。
（３）核酸結合タンパク質を含有する試料と、[タマビジン固定化不溶性担体とビオチン化核酸との複合体]を含有する試薬（試液）とを混合する方法。【０１３１】
不溶性担体がチップやプレート等の場合には、核酸結合タンパク質を含有する試料とタマビジン固定化不溶性担体（又はそれを含有する溶液）と、ビオチン化核酸（又はそれを含有する溶液）とを接触させればよい。【０１３２】
上記工程Ｂ−１の反応後、得られた反応溶液から、[核酸結合タンパク質とビオチン化核酸とタマビジン固定化不溶性担体との複合体]を分離することが好ましい。また当該複合体の不溶性担体に付着した夾雑物を除くために、得られた不溶性担体を適当な洗浄液を用いて洗浄処理を行うことが好ましい。その具体的な方法等は、上記工程Ａ−１から工程Ａ−２に移行する前に行うことが好ましい分離・洗浄処理と同様の方法でよい。【０１３３】
（工程Ｂ−２）
本発明の核酸結合タンパク質が結合したビオチン化核酸の分離方法の工程Ｂ−２は、「遊離ビオチンの存在下、pH7.8〜9.5の溶液中で、核酸結合タンパク質が結合したビオチン化核酸を、工程Ｂ−１で得られた該複合体から分離する工程」である。【０１３４】
工程Ｂ−２では、工程Ｂ−１で得られた[核酸結合タンパク質とビオチン化核酸とタマビジン固定化不溶性担体との複合体]と遊離ビオチンを、pH7.8〜9.5の溶液状態で接触・反応させる。【０１３５】
その方法は、該複合体と遊離ビオチンとを含有するpH7.8〜9.5の溶液が得られるような方法であればよい。【０１３６】
その具体的な方法、及び当該工程における[核酸結合タンパク質とビオチン化核酸とタマビジン固定化不溶性担体との複合体]を含有する溶液、遊離ビオチンを含有する溶液、混合後の溶液のpHが7.8〜9.5となるような溶液等の、夫々の構成要素の好ましい態様、具体例及び濃度、反応条件等については、上記の、本発明のビオチン化核酸の分離方法の工程Ａ−２に関する説明に記載したものと同じである。【０１３７】
例えば、具体的な方法としては、工程Ａ−２と同様に以下の方法が挙げられる。
（１）[核酸結合タンパク質とビオチン化核酸とタマビジン固定化不溶性担体の複合体]又は該複合体を含有する溶液を遊離ビオチンを含有する溶液と混合した後、混合後の溶液のpHが7.8〜9.5となるような溶液と混合する方法、
（２）該複合体又は該複合体を含有する溶液を、混合後の溶液のpHが7.8〜9.5となるような溶液と混合した後、遊離ビオチンを含有する溶液と混合する方法、
（３）該複合体又は該複合体を含有する溶液を、遊離ビオチンを含有する、混合後の溶液のpHが7.8〜9.5となるような溶液と混合する方法。【０１３８】
上記 (１)〜(３)の方法の中でも、作業効率等を考慮すると、（３）の方法が最も簡便であり、好ましい。【０１３９】
特に、（３）の方法であって、工程Ｂ−１で得られた［核酸結合タンパク質とビオチン化核酸とタマビジン固定化不溶性担体の複合体］を含有する溶液から不溶性担体の性質に応じた方法で溶媒を除去した後、該複合体を遊離ビオチンを含有する、混合後の溶液のpHが7.8〜9.5となるような溶液と混合する方法が、簡便である。【０１４０】
この場合、溶媒を除去した後に混合後の溶液のpHが7.8〜9.5となるような溶液と混合することになるので、使用する該溶液は、pHが7.8〜9.5の溶液であればよい。【０１４１】
工程Ｂ−２に係る［核酸結合タンパク質とビオチン化核酸とタマビジン固定化不溶性担体との複合体］を含有する溶液に用いられる溶媒としては、例えば上記工程Ａ−１に記載したタマビジン固定化不溶性担体を懸濁させる溶媒と同じものが挙げられるが、特に限定されない。【０１４２】
工程Ｂ−２で用いられる遊離ビオチンを含有する溶液を調製するために用いられる溶媒としては、例えばリン酸カリウム緩衝液、トリス緩衝液、リン酸緩衝生理食塩水(PBS)、HEPES緩衝液、ホウ酸緩衝液、リン酸緩衝液、ベロナール緩衝液、グッド緩衝液等が挙げられる。また、これらの緩衝液の緩衝剤濃度としては、通常10〜1000mM、好ましくは10〜100 mMの範囲から適宜選択される。【０１４３】
遊離ビオチンを含有する溶液中の遊離ビオチンの濃度は、［核酸結合タンパク質とビオチン化核酸とタマビジン固定化不溶性担体との複合体］と混合したとき、又は当該複合体を含有する溶液と混合したときに、pH7.8〜9.5で該複合体を、核酸結合タンパク質が結合したビオチン化核酸とタマビジン固定化不溶性担体とに分離できるような過剰量になる濃度であればよい。具体的には、［核酸結合タンパク質とビオチン化核酸とタマビジン固定化不溶性担体との複合体］と混合したとき、又は当該複合体を含有する溶液と混合したときに、混合液中の該複合体の不溶性担体に担持されたタマビジンに対して40〜4000倍モルになるような濃度、例えば混合液中の該複合体の不溶性担体に担持されたタマビジン0.01〜0.05mMに対して2〜40mMである。【０１４４】
遊離ビオチン含有溶液には、更に増感剤、界面活性剤、防腐剤（例えばアジ化ナトリウム、サリチル酸、安息香酸等）、安定化剤（例えばアルブミン、グロブリン、水溶性ゼラチン、界面活性剤、糖類等）、賦活剤、共存物質の影響回避剤その他この分野で用いられているものを含有していてもよい。またこれら試薬類等の濃度範囲等も、自体公知の該測定方法において通常用いられる濃度範囲等を適宜選択して用いればよい。【０１４５】
工程Ｂ−２で用いられる、混合後の溶液のpHが7.8〜9.5となるような溶液としては、例えばpH7.8〜9.5付近に緩衝作用を有する緩衝液が挙げられ、具体的には、例えばリン酸カリウム緩衝液、トリス緩衝液、リン酸緩衝液、ベロナール緩衝液、グッド緩衝液、リン酸緩衝生理食塩水(PBS)、HEPES緩衝液、ホウ酸緩衝液、等が挙げられる。また、これらの緩衝液の緩衝剤濃度としては、通常10〜1000 mM、好ましくは10〜100 mMの範囲から適宜選択される。【０１４６】
工程Ｂ−２で溶液状態でない［核酸結合タンパク質とビオチン化核酸とタマビジン固定化不溶性担体との複合体］を用いる場合、例えば上記工程Ｂ−２が（３）該複合体を、遊離ビオチンを含有する、混合後の溶液のpHが7.8〜9.5となるような溶液と混合する方法、の場合には、混合後のpHが7.8〜9.5となるような溶液として、pH7.8〜9.5付近に緩衝作用を有する緩衝液を用いればよい。
【０１４７】
工程Ｂ−２で該複合体と遊離ビオチンをpH7.8〜9.5で接触・反応させる際の反応液中の遊離ビオチンの濃度は、あまり濃度が高くても無駄になるので、該反応液中のタマビジン濃度、すなわち該反応液中の不溶性担体に担持されたタマビジンに対して40〜4000倍モル程度である。100〜4000倍モル程度が好ましい。また、該反応液のpHは7.8〜9.5である。【０１４８】
工程Ｂ−２で該複合体と遊離ビオチンをpH7.8〜9.5で接触・反応させる際の反応時の温度は、通常３〜50℃、好ましくは３〜25℃の範囲が挙げられる。また、その反応時間は、用いるビオチン化核酸及びタマビジン固定化不溶性担体の種類、pH及び温度等の反応条件により異なるので、各々に応じて１〜360分程度、好ましくは10〜180分程度、より好ましくは10〜30分程度である。反応時必要に応じて撹拌処理を行ってもよい。【０１４９】
使用するビオチン化核酸がRNAの場合もDNAの場合も、工程Ｂ−２におけるpHは、好ましくはpH7.8〜9.5、より好ましくはpH8.0〜9.0、更に好ましくはpH8.2〜8.8である。pH8.5付近が特に好ましい。【０１５０】
工程Ｂ−２を実施することにより、[核酸結合タンパク質とビオチン化核酸とタマビジン固定化不溶性担体との複合体]がpH7.8〜9.5の溶液中で、タマビジンに対して40〜4000倍モルの遊離ビオチンと反応し、核酸結合タンパク質が結合したビオチン化核酸が該複合体から分離する。【０１５１】
次いで、核酸結合タンパク質が結合したビオチン化核酸とタマビジン固定化不溶性担体とを分離することにより、ビオチン化核酸を含有する溶液を得ることができる。その方法の具体例は、上記工程Ａ−２に関する発明に記載した方法と同様である。【０１５２】
例えば、溶液中に分離して存在する核酸結合タンパク質が結合したビオチン化核酸と、タマビジン固定化不溶性担体とを、使用した不溶性担体の種類に応じた常法により分離することにより、核酸結合タンパク質が結合したビオチン化核酸を含有する溶液を容易に得ることができる。例えば、不溶性担体として磁気ビーズを用いた場合には、磁気分離によってタマビジン固定化磁気ビーズを分離すれば、核酸結合タンパク質が結合したビオチン化核酸を含有する溶液を得ることができる。【０１５３】
核酸結合タンパク質が結合したビオチン化核酸とタマビジン固定化不溶性担体を分離後の該タマビジン固定化不溶性担体又はその溶液に、遊離ビオチンを含有する溶液と、混合後のpHが7.8〜9.5となるような溶液を加えるか、遊離ビオチンを含有する混合後のpHが7.8〜9.5となるような溶液を再度加えて、該タマビジン固定化不溶性担体上に残存している核酸結合タンパク質が結合したビオチン化核酸を分離する工程を複数回行い、ビオチン化核酸を含有する溶液を複数回回収してもよい。【０１５４】
また、必要に応じ、さらに公知の核酸抽出法等で核酸を精製することにより、工程Ｂ−２で得られた核酸結合タンパク質が結合したビオチン化核酸を含有する溶液からビオチン化核酸を回収してもよい。例えば、フェノール/クロロフォルム抽出や市販の核酸精製キット等を使用する方法が挙げられる。【０１５５】
本発明の核酸結合タンパク質が結合したビオチン化核酸の分離方法を実施することにより、核酸結合タンパク質が結合したビオチン化核酸を収率よく回収することが可能になった。【０１５６】
本発明の核酸結合タンパク質が結合したビオチン化核酸の分離方法において、ビオチン化核酸に用いられる核酸として、例えば目的の核酸結合タンパク質に対応する核酸を用いることが出来る。すなわち、既知の核酸結合タンパク質に対しては、その核酸結合タンパク質が結合する対応の核酸を用いればよい。また、対応する核酸結合タンパク質が知られていない核酸を用いて本発明の核酸結合タンパク質が結合したビオチン化核酸の分離方法を実施した場合には、当該核酸に結合する未知のタンパク質を得ることができる。【０１５７】
本発明の核酸結合タンパク質が結合したビオチン化核酸の分離方法を、工程Ｂ−１が前記（１）の方法（核酸結合タンパク質を含有する試料を、ビオチン化核酸を含有する溶液と混合した後、タマビジン固定化不溶性担体又はタマビジン固定化不溶性担体溶液と混合する方法）の場合を例にとって具体的に示すと、例えば以下の如くなる。【０１５８】
核酸結合タンパク質を含むと思われる細胞１x１０7個のペレットに500μLの細胞溶解剤（25mM Tris-HCl pH7.4, 150mM KCl, 0.5mM DTT, 0.5% 細胞を可溶化させる界面活性剤, プロテアーゼ阻害剤、ホスファターゼ阻害剤）を添加し、細胞ペレットを懸濁させ、氷上で１〜５分間インキュベーションする。その後、20,000xg, 15分間遠心し、得られた上清を細胞ライセートとする。該細胞ライセート0.1〜１mLを、ビオチン化核酸（10〜50pmol）を含む溶液と混合し、３〜30℃で0.1〜24時間、好ましくは１〜５時間反応させる。【０１５９】
別にタマビジン2-REV固定化磁気ビーズ 0.05〜10 mg（タマビジン担持量は磁気ビーズ1mgに対して0.5〜2000μg、0.3ｎM〜1.3μM）をチューブへ加え、洗浄処理後、洗浄液を除く。次いで、先に調製した細胞ライセートとビオチン化核酸の混合溶液を加え、攪拌しながら通常３〜50℃、好ましくは３〜25℃で0.1〜24時間、好ましくは１〜５時間程度反応させて核酸結合タンパク質とビオチン化核酸とタマビジン2-REV固定化磁気ビーズの複合体を生成させる。反応後、磁気スタンドを用いて磁気ビーズと溶液を分離する。ビーズを数回洗浄処理した後、洗浄液を除く。次に、溶出バッファー（2〜20mMのビオチンを含む50mM Tris-HCl pH7.8〜9.5）10〜20μLをチューブに添加し、攪拌しながら通常３〜50℃、好ましくは３〜25℃で１〜360分間、好ましくは10〜180分間、更に好ましくは10〜30分間反応させる。反応後、磁気スタンドを用いてタマビジン2-REV固定化磁気ビーズを除き、核酸結合タンパク質が結合したビオチン化核酸を含む溶出液を分離・回収する。以上の操作により、核酸結合タンパク質が結合したビオチン化核酸を分離することができる。【０１６０】
本発明に係る核酸結合タンパク質を結合したビオチン化核酸の分離方法は、用手法によって行っても良いことはもちろんであるが、本発明の方法は、自動分析装置を用いた測定系に適用できるので、自動分析装置を用いて行っても良いことは云うまでもない。尚、用手法又は自動分析装置を用いて測定を行う場合の試薬類の組み合わせについては、特に限定はされず、適用する自動分析装置の環境、その他の要因等に合わせて適宜行えば良い。【０１６１】
工程Ｂ−２の後、核酸結合タンパク質が結合したビオチン化核酸の状態で、核酸結合タンパク質を解析することができる。例えば、溶媒を1〜2%トリクロロ酢酸に交換し、トリプシン消化、次いで質量分析器による解析を行えばよい。または、1〜10%SDS溶液、７Mグアニジン塩酸塩、グリシンpH2.3溶液、8M尿素溶液等の変性剤やSDSサンプルbufferを添加してSDS-PAGEすることによる解析を行う方法も挙げられる。【０１６２】
[Ｃ．本発明の核酸結合タンパク質の分離方法]
本発明の核酸結合タンパク質の分離方法は、下記工程を含んでなる。
（１）核酸結合タンパク質を含有する試料と、核酸にビオチンを結合させたビオチン化核酸と、タマビジン固定化不溶性担体とを接触させて、核酸結合タンパク質とビオチン化核酸とタマビジン固定化不溶性担体との複合体を生成させる工程（工程Ｃ−１）、
（２）遊離ビオチンの存在下、pH7.8〜9.5の溶液中で、核酸結合タンパク質が結合したビオチン化核酸を、工程Ｃ−１で得られた該複合体から分離する工程（工程Ｃ−２）。
（３）工程Ｃ−２で得られた核酸結合白質が結合したビオチン化核酸から、核酸結合タンパク質を分離する工程（工程Ｃ−３）。【０１６３】
工程Ｃ−１の具体的な方法、及び当該工程におけるそれぞれの構成要素や試薬の好ましい態様等については、上記の「核酸結合タンパク質が結合したビオチン化核酸の分離方法」の工程Ｂ−１関する説明に記載した通りである。工程Ｃ−２の具体的な方法、及び当該工程におけるそれぞれの構成要素や試薬の好ましい態様等については、上記の「核酸結合タンパク質が結合したビオチン化核酸の分離方法」の工程Ｂ−２に関する説明に記載した通りである。【０１６４】
また、各工程Ｃ−１から工程Ｃ−２の間、工程Ｃ−２から工程Ｃ−３の間に得られた複合体の分離・洗浄処理を行うのは、上記と同じである。【０１６５】
工程Ｃ−２で得られた［核酸結合タンパク質が結合したビオチン化核酸］の核酸結合タンパク質を解析するには、通常核酸結合白質が結合したビオチン化核酸から、核酸結合タンパク質を分離する必要はない。例えば［核酸結合タンパク質が結合したビオチン化核酸］を通常のSDS-PAGE等で分離する。核酸結合タンパク質はSDSで核酸と分離するので、SDS-PAGE後、必要であれば目的の核酸結合タンパク質を含有するゲル画分を切り出して、常法により核酸結合タンパク質を抽出すればよい。【０１６６】
また、工程Ｃ−２で得られた［核酸結合タンパク質が結合したビオチン化核酸］から、必要に応じ核酸結合タンパク質を分離してもよい。【０１６７】
工程Ｃ−３は、工程Ｃ−２で得られた核酸結合白質が結合したビオチン化核酸から、核酸結合タンパク質を分離する工程である。【０１６８】
その具体的な方法としては、例えば［核酸結合タンパク質が結合したビオチン化核酸］を含有する溶液からTCA/アセトン沈殿やメタノール/クロロフォルム抽出等でタンパク質成分を精製する方法、2〜4%SDS溶液，７Mグアニジン塩酸塩，グリシンpH2.3溶液等のタンパク質変性剤を用いて分離する方法、およびSDS-PAGE試料緩衝液を添加しボイルする方法等が挙げられる。【０１６９】
[Ｄ．本発明の核酸分離用キット]
本発明の核酸分離用キットは、上記の如き本発明のビオチン化核酸の分離方法、核酸結合タンパク質が結合したビオチン化核酸の分離方法、又は核酸結合タンパク質の分離方法を実施するために使用されるもので、タマビジンを固定化した不溶性担体を含んでなる試薬と、混合後の溶液のpHが7.8〜9.5となるような試薬とを構成試薬として含んでなる。【０１７０】
当該キットには、遊離ビオチンを含んでなる試薬を構成試薬として含んでいてもよい。【０１７１】
また、さらに核酸結合タンパク質を結合したビオチン化核酸から核酸結合タンパク質を分離する試薬を構成試薬として含んだ「核酸結合タンパク質分離用キット」を構成することもできる。【０１７２】
夫々の構成要素の好ましい態様、具体例及び濃度等については、上記の、本発明のビオチン化核酸の分離方法、核酸結合タンパク質が結合したビオチン化核酸の分離方法、又は核酸結合タンパク質の分離方法に関する説明に記載した通りである。【０１７３】
例えば、混合後の溶液のpHが7.8〜9.5となるような試薬、遊離ビオチンを含んでなる試薬、タマビジンを固定化した不溶性担体を含んでなる試薬の好ましい態様、具体例及び濃度等については、上記の、本発明のビオチン化核酸の分離方法、核酸結合タンパク質が結合したビオチン化核酸の分離方法、又は核酸結合タンパク質の分離方法に関する説明に記載した通りであるが、以下に改めて説明する。【０１７４】
タマビジンを固定化した不溶性担体を含んでなる試薬の具体例としては、タマビジン固定化不溶性担体を含んでなる試薬、又はタマビジン固定化不溶性担体溶液が挙げられる。その具体例は上記した通りである。【０１７５】
例えば、混合後の溶液のpHが7.8〜9.5となるような試薬としては、上記した混合後の溶液のpHが7.8〜9.5となるような溶液が挙げられる。例えばpH7.8〜9.5付近に緩衝作用を有する緩衝液が挙げられ、具体的には、例えばリン酸カリウム緩衝液、トリス緩衝液、リン酸緩衝液、ベロナール緩衝液、グッド緩衝液、リン酸緩衝生理食塩水(PBS)、HEPES緩衝液、ホウ酸緩衝液、等が挙げられる。また、これらの緩衝液の緩衝剤濃度としては、通常10〜1000 mM、好ましくは10〜100 mMの範囲から適宜選択される。【０１７６】
また、混合後の溶液のpHが7.8〜9.5となるような溶液のpHは、好ましくはpH7.8〜9.5、より好ましくはpH8.0〜9.0、更に好ましくはpH8.2〜8.8である。pH8.5付近が特に好ましい。【０１７７】
遊離ビオチンを含んでなる試薬としては、上記した遊離ビオチンを含有する溶液が挙げられる。遊離ビオチンを含有する溶液中の遊離ビオチンの濃度は、特に限定されない。例えば、２mM〜１Mの濃度の遊離ビオチンを含有する溶液であってもよい。該遊離ビオチンを含有する溶液を［（核酸結合タンパク質が結合した）ビオチン化核酸とタマビジン固定化不溶性担体との複合体］と混合したとき、又は当該複合体を含有する溶液と混合したときに、その遊離ビオチンを含有する溶液を、混合液中の該複合体の不溶性担体に担持されたタマビジンに対して40〜4000倍モルになるような濃度になるように、加えればよい。【０１７８】
遊離ビオチンを含有する溶液を調製するために用いられる溶媒としては、例えばリン酸カリウム緩衝液、トリス緩衝液、リン酸緩衝生理食塩水(PBS)、HEPES緩衝液、ホウ酸緩衝液、リン酸緩衝液、ベロナール緩衝液、グッド緩衝液等が挙げられる。また、これらの緩衝液の緩衝剤濃度としては、通常10〜1000mM、好ましくは10〜100 mMの範囲から適宜選択される。【０１７９】
また、各構成試薬は、適当な緩衝液中に各試薬を懸濁させた懸濁液等の溶液状態のもの、若しくはこれを凍結した凍結品や凍結乾燥した凍結乾燥品であってもよい。この目的に用いられる緩衝剤等の具体例、そのpH及び濃度は上記した通りである。【０１８０】
また、これらキットに含まれる試薬中には、通常この分野で用いられる試薬類、例えばプロテアーゼ阻害剤、緩衝剤、界面活性剤、安定化剤、その他この分野で用いられているものを添加してもよい。これらの試薬類は、別の試薬として、使用時に添加混合するようにしてもよい。その場合の濃度やpH等も、通常用いられる条件に設定されればよい。【０１８１】
また、当該キットが複数の試液で構成される場合、これら試薬類は、各試液を混合した時点で目的の濃度になるように各試液の何れかに適宜分散させて含有させればよい。これら試液を構成する試薬類の使用濃度は、通常この分野で用いられる範囲から適宜選択すればよい。【０１８２】
さらにまた本発明のキットには、ビオチン化核酸を分離する方法の説明書等を含ませておいても良い。当該「説明書」とは、当該方法における特徴・原理・操作手順、判定手順等が文章又は図表等により実質的に記載されている当該キットの取扱説明書、添付文書、あるいはパンフレット（リーフレット）等を意味する。【０１８３】
本発明のキットの具体的な実施態様としては、例えば以下の如き構成が挙げられる。【０１８４】
（１）本発明に係るタマビジン固定化不溶性担体を含んでなる第１試薬と、混合後の溶液のpHが7.8〜9.5になるような第２試薬とを構成試薬とするもの、
（２）本発明に係るタマビジン固定化不溶性担体を含んでなる第１試薬と、混合後の溶液のpHが7.8〜9.5になるような試薬を含んでなる第２試薬と、遊離ビオチンを含んでなる第３試薬とを構成試薬とするもの。
（３）本発明に係るタマビジン固定化不溶性担体を含んでなる第１試薬と、遊離ビオチンを含有し且つ混合後の溶液のpHが7.8〜9.5になるような第２試薬とを構成試薬とするもの。【０１８５】
以下に実施例等を挙げて本発明を更に詳細に説明するが、本発明はこれにより何ら限定されるものではない。
【実施例】
【０１８６】
実施例１．タマビジン２-REV固定化不溶性担体からのビオチン化RNAの分離とpHとの関係の検証
以下の方法により、各溶出バッファーを用いてタマビジン２-REV固定化担体からのビオチン化RNAの解離効率の比較を行った。【０１８７】
（１）タマビジン2-REV固定化磁気ビーズの調製
DynabeadsTM MyOneTM Carboxylic Acid（磁気ビーズ、粒径2.7μm、サーモフィッシャーサイエンティフィック(株)製）１mgに対して、50μgのタマビジン2TM-REV（和光純薬工業(株)製）を、DynabeadsTM MyOneTM Carboxylic Acidに添付のプロトコールに従って固定化し、タマビジン2-REV固定化磁気ビーズを得た。【０１８８】
最終的にビーズ濃度が10mg/mLのタマビジン2-REV固定化磁気ビーズの溶液を調製した（タマビジン2-REV担持量は、磁気ビーズ1mgに対し最大50μg、10mg/mL磁気ビーズのタマビジン2-REV担持量は、最大0.03mM）。【０１８９】
（２）ビオチン化RNAの調製
１）ビオチン化7SK snRNA及びビオチン化HOTAIR RNAの合成【０１９０】
＜ビオチン化RNA合成に用いる遺伝子配列のクローニングおよびin vitro transcriptionに用いる鋳型DNAの調製＞
ヒト由来7SK snRNAをコードする遺伝子配列を持つDNA（配列番号２）およびヒト由来HOTAIR RNAをコードする遺伝子配列を持つDNA(配列番号３)の人工遺伝子合成と、合成されたDNAのpGEM-T Easyベクター（プロメガ(株)製、マルチクローニングサイトの両側に、T7及びSP6のRNAポリメラーゼプロモーターの認識部位を持つ）のEcoRIとSpeI切断サイト間へのクローニングを(株)ファスマックに依頼して入手した。【０１９１】
得られた各組換えベクターを鋳型に、T7プライマーおよびSp6プライマー（ともにユニバーサルプライマー、タカラバイオ社製）を用いてPCR増幅を行った。次いで得られたPCR増幅産物について通常のアガロース電気泳動を行った後、QIAquickTM Gel Extraction Kit（(株)キアゲン）を使用してゲル抽出精製を行い、ヒト由来７SK snRNAの遺伝子配列が含まれるPCR増幅断片およびヒト由来HOTAIR RNAの遺伝子配列が含まれるPCR増幅断片を取得した。【０１９２】
＜in vitro transcriptionによるビオチン化RNAの合成＞
上記で得られた各PCR増幅断片を鋳型として用い、MEGAscriptTM T7 Transcription Kit（Ambion Inc.製、サーモフィッシャーサイエンティフィック(株)販売）を用いて、キットに添付のプロトコールに従い、in vitro transcriptionによるRNA合成を行って、ビオチン化RNAを得た。その際、ビオチン化基質としてBiotin-16-UTP（ロシュ・ダイアグノスティックス(株)製）を用い、その他の基質はKitに添付の基質を用いた。UTPとBiotin-16-UTPはモル比で3:1の比率で用いた。【０１９３】
PureLinkTM RNA Mini Kit（Ambion Inc.製、サーモフィッシャーサイエンティフィック(株)販売）を用いて、得られたビオチン化RNA（ビオチン化7SK snRNA及びビオチン化HOTAIR RNA）の精製を行った。【０１９４】
２）3'末端ビオチン化RNAオリゴ（3'−Biotin mir-92a RNAオリゴ）の合成
ヒト由来microRNAであるmir-92a（配列番号４）の3'末端をビオチン化したRNAオリゴ（3'−Biotin mir-92a RNAオリゴ）の合成をニッポンジーンマテリアル社に依頼して入手した。得られた3'−Biotin mir-92a RNAオリゴは、RNaseフリー水で1μg/μLに調製した。【０１９５】
（３）ビオチン化RNAの分離・回収試験
上記（２）で調製した３種類のビオチン化RNA（ビオチン化7SK snRNA、ビオチン 化HOTAIR RNA、3'-Biotin mir-92a RNAオリゴ）をそれぞれPBSで20ng/μLになるように希釈した。各ビオチン化RNA溶液のRNA濃度を、吸光度260nmを測定することで算出した。【０１９６】
別に、上記（１）で調製したタマビジン2-REV固定化磁気ビーズ(ビーズ濃度10mg/mL、タマビジン2-REV量は最大0.03mM)を0.1mgずつ９本の1.5mL容チューブへ加えた。次いで、1mLのPBSを各チューブへ添加し、ボルテックスミキサーを用いて十分に攪拌後、専用磁気スタンドを用いて磁気ビーズと溶液を分離した。分離したPBS溶液はピペットを用いて慎重に廃棄した（磁気ビーズの洗浄処理）。【０１９７】
洗浄処理後の磁気ビーズに、先に調製した20ng/μLの各種ビオチン化RNA溶液（ビオチン化7SK snRNA、ビオチン 化HOTAIR RNA、3'-Biotin mir-92a RNAオリゴ）を、それぞれチューブ３本に50μL添加した。その後、各チューブはチューブミキサーを用いて攪拌しながら室温で一時間反応させた。【０１９８】
反応後、磁気スタンドを用いて磁気ビーズと溶液を分離した。上清をピペットを用いて廃棄した後、各チューブに1mLの洗浄バッファー(20mM Tris-HCl pH7.4, 200mM NaCl, 2.5mM MgCl2, 0.05% NP-40含有)を添加し、磁気ビーズを３回洗浄処理した。洗浄処理後、洗浄バッファーを廃棄した。【０１９９】
次に、溶出バッファーとして20μLの20mM Biotin/50mM Potassium phosphate pH7.0 (50mM KPBと略記する場合がある。)、20mM Biotin/50mM Tris-HCl pH8.0、又は20mM Biotin / 50mM Tris-HCl pH9.0を各チューブに添加し、チューブミキサーを用いて攪拌しながら室温で15分間反応させた。反応時の反応液中のタマビジン2-REVのモル濃度は約0.016nmol/μLである。【０２００】
反応後、磁気スタンドを用いて溶出液の分離を行い、分離した溶出液を新しいチューブへ移した。この溶出工程を再度繰り返し、得られた溶出液は先に分注したチューブへプールして、それぞれ一本のチューブに纏めた。溶出処理後のビーズは、保存しておいた。【０２０１】
得られた溶出液のRNA濃度を、吸光度260nmを測定することで算出した。得られたRNA濃度をもとに、使用した各種ビオチン化RNA溶液のRNA濃度に対する、得られた溶出液のRNA濃度の割合（回収効率、％）を求め、RNAの回収性能の比較を行った。【０２０２】
（４）結果
結果を図１に示す。図１において、各カラムはそれぞれ下記のビオチン化RNAを分離した場合の結果を示す。
0006597638.tif 000002
【０２０３】
図１から明らかな通り、各種ビオチン化RNAを分離したすべての場合で、中性域の溶出バッファー（Elution buffer）である20mM Biotin / 50mM KPB pH7.0を用いて分離した場合より、20mM Biotin / 50mM Tris-HCl pH8.0を用いて分離した場合、および20mM Biotin / 50mM Tris-HCl pH9.0を用いて分離した場合の方が、ビオチン化RNAの回収効率が高かった。特にビオチン化HOTAIR RNAの場合、20mM Biotin / 50mM KPB pH7.0溶液を用いて分離した場合では60％程度しかビオチン化HOTAIR RNAを回収できなかったのに対して、20mM Biotin / 50mM Tris-HCl pH9.0を用いて分離した場合には、ほぼ100％のビオチン化HOTAIR RNAが回収できたことが判る。【０２０４】
実施例２．タマビジン２-REV固定化不溶性担体からのビオチン化DNAの解離
以下の方法により、各溶出バッファーを用いてタマビジン２-REV担体からのビオチン化DNAの解離効率の比較を行った。【０２０５】
（１）ビオチン化ssDNA（一本鎖DNA）及びビオチン化dsDNA（二本鎖DNA）の合成
１）ビオチン化7SK ssDNAの合成
実施例１(２)１)で得られたヒト由来7SK snRNAの遺伝子配列が含まれるPCR増幅断片1μgを反応チューブに加え、TaKaRa Ex TaqTM Hot Start Version（タカラバイオサイエンス社製）を用い、基質として0.2mM dATP, 0.2mM dCTP, 0.2ｍM dGTP、0.15ｍM dTTP、0.05mM Biotin-11-dUTPになるよう添加した（すべて反応時の終濃度。dATP, dCTP, dGTP, dTTPは和光純薬工業(株)製、dBiotin-11-dUTPはサーモフィッシャーサイエンティフィック(株)製）。dTTPとBiotin-11-dUTPは、3:1の比率になるように加えた。
【０２０６】
次いで、100μM T7プライマーを終濃度0.5μMになるように反応チューブに加え、94℃3分の熱変性後に98℃10秒、57℃30秒、72℃30秒のサイクル反応を40回行うという条件でPCRを行い、PCR伸長サンプルを得た。【０２０７】
得られたPCR伸長サンプルは、QIAquickTM PCR Purification Kit（(株)キアゲン製）を用いて精製し、ビオチン化7SK ssDNAを得た。得られたビオチン化7SK ssDNAの濃度をNanoDrop1000（Thermo Fisher Scientific社製）を用いて測定・算出した。【０２０８】
２）ビオチン化7SK dsDNAの合成
プライマーとしてそれぞれ終濃度100μMのT7プライマーとSP6プライマーを用いる以外は上記の「１）ビオチン化7SK ssDNAの合成」と同じ試薬を用いた同じ反応を行い、ビオチン化7SK dsDNAの合成を行った。【０２０９】
得られたPCR増幅サンプルは、QIAquickTM PCR Purification Kit（(株)キアゲン製）を用いて精製し、ビオチン化7SK dsDNAを得た。得られたビオチン化7SK dsDNAの濃度をNanoDrop1000（Thermo Fisher Scientific社製）を用いて測定・算出した。【０２１０】
（２）ビオチン化DNAの回収試験
上記(１)で調製したビオチン化7SK ssDNAおよびビオチン化dsDNAをそれぞれPBSで20ng/μLになるように希釈した。各ビオチン化RNA溶液のRNA濃度を、吸光度260nmを測定することで算出した。【０２１１】
別に、実施例１で調製したタマビジン2-REV固定化磁気ビーズ(ビーズ濃度10mg/mL、タマビジン2-REV量は最大0.03mM)を0.1mgずつ６本の1.5mL容チューブへ加えた。次いで、1mLのPBSを各チューブへ添加し、ボルテックスミキサーを用いて十分に攪拌後、専用磁気スタンドを用いて磁気ビーズと溶液を分離した。分離したPBS溶液はピペットを用いて慎重に廃棄した（磁気ビーズの洗浄処理）。【０２１２】
洗浄処理後の磁気ビーズに、先に調製した20ng/μLの各種ビオチン化DNA溶液（ビオチン化7SK ssDNA、ビオチン化dsDNA）を、それぞれチューブ３本に25μL添加した。その後、各チューブはチューブミキサー等を用いて攪拌しながら室温で一時間反応させた。【０２１３】
反応後、磁気スタンドを用いて磁気ビーズと溶液を分離した。上清をピペットを用いて廃棄した後、各チューブに１mLの洗浄バッファー(20mM Tris-HCl pH7.4, 200mM NaCl, 2.5mM MgCl2, 0.05% NP-40)を添加し、磁気ビーズを３回洗浄処理した。洗浄処理後、洗浄バッファーを廃棄した。【０２１４】
次に、溶出バッファーとして15μLの20mM Biotin / 50mM KPB、20mM Biotin / 50mM Tris-HCl pH8.0、又は20mM Biotin / 50mM Tris-HCl pH9.0を各チューブに添加し、チューブミキサーを用いて攪拌しながら室温で15分間反応させた。反応時の反応液中のタマビジン2-REVのモル濃度は約0.021nmol/μLである。【０２１５】
反応後、磁気スタンドを用いて溶出液の分離を行い、分離した溶出液を新しいチューブへ移した。この溶出工程を再度繰り返し、得られた溶出液は先に分注したチューブへプールして、それぞれ一本のチューブに纏めた。溶出処理後のビーズは、保存しておいた。【０２１６】
得られた溶出液のDNA濃度を、吸光度260nmを測定することで算出した。得られたDNA濃度をもとに、使用した各ビオチン化DNA溶液のDNA濃度に対する、得られた溶出液のDNA濃度の割合（回収効率、％）を求め、DNAの回収性能の比較を行った。
【０２１７】
（４）結果
結果を図２(１)及び(２)に示す。図２(１)は、ビオチン化7SK ssDNAの回収効率に関する結果を、図２(２)は、ビオチン化7SK dsDNAの回収効率に関する結果をそれぞれ示す。【０２１８】
図２(１)及び(２)から明らかなように、ビオチン化7SK ssDNAの場合（図２(１)）も、ビオチン化7SK dsDNAの場合（図２(２)）も、中性域の溶出バッファーである20mM Biotin / 50mM KPBを用いて分離した場合より、20mM Biotin / 50mM Tris-HCl pH8.0を用いて分離した場合、および20mM Biotin / 50mM Tris-HCl pH9.0を用いて分離した場合の方が回収効率が高かった。【０２１９】
以上のことから、過剰量の遊離ビオチンの存在下に溶液のpHをpH9.0に上げることで、タマビジン２-REV磁気ビーズとビオチン化一本鎖DNAの結合、及びタマビジン２-REV磁気ビーズとビオチン化二本鎖DNAの結合の解離が向上し、ビオチン化一本鎖DNA（ssDNA）及びビオチン化二本鎖DNA（dsDNA）を効率よく回収できることが判る。
【０２２０】
比較例１．タマビジン２-REVとビオチンの結合解離効率に対するpHの影響
以下の方法により、各種溶出バッファーを用いて、核酸に結合していないビオチン担体からのタマビジン２-REVの解離効率の比較を行った。【０２２１】
（１）タマビジン2-REVのビオチン解離性試験
タマビジン２-REVの凍結乾燥品（和光純薬工業(株)製）に蒸留水1.67mLを添加し、0.6mg/mL濃度のタマビジン2-REV溶液を調製した。【０２２２】
別にビオチンを固定化したビオチンアガロースビーズ（sigma社製）200μLを２本の1.5mL容チューブに分注した。そこにPBSを1mL添加し、ボルテックスミキサーでよく攪拌させた後、8,000xgで5分間遠心分離処理した。遠心分離処理後、上清をピペットを用いて除去し、再度同様の操作を2回繰り返し、ビオチンアガロースビーズの平衡化を行った。次に、各チューブに先に調製した0.6mg/mLのタマビジン2-REV溶液を0.84mL添加し、室温で1.5時間ローテーターを用いて攪拌しながら反応させた。【０２２３】
その後、8,000xgで5分間遠心を行い、上清をFlowthrough画分として、各チューブからそれぞれ回収した。残ったビーズに溶出バッファーとして20mM Biotin / 50mM KPB pH7.0もしくは20mM Biotin / 50mM Tris-HCl pH9.0を0.5mL添加し、室温で5分間ローテーターを用いて攪拌しながら反応させた。反応時の反応液中のタマビジン2-REVの濃度は0.6mg/mLである。【０２２４】
反応後、8,000xgで5分間遠心を行い、各チューブの上清を溶出画分（溶出画分１）として回収した（溶出ステップ１）。上記溶出ステップを4回繰り返し、１回目から５回目までの溶出ステップで、合計５画分の溶出画分を取得した。はじめに添加したタマビジン2-REV溶液（0.6mg/mL濃度のタマビジン2-REV溶液）、Flowthrough画分および溶出画分１〜５それぞれの吸光度（A280）を測定することによって、タンパク質濃度を算出した（0.25mg/mLのとき、OD280=0.68で換算した。）。【０２２５】
得られたタンパク質濃度をもとに、使用したタマビジン2-REV溶液のタンパク質濃度に対する、得られた溶出液のタンパク質濃度の割合（回収効率、％）を求め、タマビジン2-REVの回収性能の比較を行った。【０２２６】
（２）結果
結果を図３に示す。図３において、□のカラムは20mM Biotin / 50mM KPB pH7.0を用いてタマビジン2-REVとビオチン化アガローズビーズの分離を行った結果を、■のカラムは20mM Biotin / 50mM Tris-HCl pH9.0を用いてタマビジン2-REVとビオチン固定化アガローズビーズの分離を行った結果をそれぞれ示す。【０２２７】
図３から明らかなように、溶出バッファーとして20mM Biotin / 50mM KPB pH7.0を用いてタマビジン2-REVとビオチン化アガローズビーズの分離を行った場合、溶出２回目でタマビジン2-REVの回収率が100％に達しているのに対し、溶出バッファーとして20mM Biotin / 50mM Tris-HCl pH9.0を用いてタマビジン2-REVとビオチン固定化アガローズビーズの分離を行った場合には、溶出4回目で、タマビジン2-REVの回収率が100％になることが明らかとなった。【０２２８】
以上の結果から明らかなように、タマビジン2-REVとビオチンの結合の解離は、過剰量の遊離ビオチンを含有する溶出バッファーのpHをアルカリ側にシフトさせても変化は確認されなかった。すなわち、実施例１及び実施例２の結果とは異なり、核酸と結合していないビオチンとタマビジンとの結合は、過剰量の遊離ビオチンの存在下に溶液のpHを上げても、解離が向上する、という現象は確認されなかった。【０２２９】
よって、過剰量の遊離ビオチンの存在下にpHを上げることによりビオチンとタマビジン2-REVの解離が向上するという現象は、ビオチン化核酸とタマビジン2-REVとの結合について生じるものであること、従って、この現象が起こる原因は、核酸と結合していないビオチンとタマビジンの結合が過剰量の遊離ビオチンの存在下に解離する現象とは異なるメカニズムによるものであることが示唆された。【０２３０】
実施例３．タマビジン２-REV固定化不溶性担体からのビオチン化核酸の解離に有効なpHの範囲の検討
以下の方法により、それぞれpHの異なる各種溶出バッファーを用いて、タマビジン２-REV固定化不溶性担体からのビオチン化RNAの解離効率の比較を行い、有効なpHの範囲の検証を行った。【０２３１】
（１）ビオチン化RNAの分離・回収試験
実施例１で調製したビオチン化HOTAIR RNAをPBSで40ng/μLになるように希釈し、該ビオチン化HOTAIR RNA溶液のRNA濃度を、吸光度260nmを測定することで算出した。【０２３２】
別に、実施例１で調製したタマビジン2-REV固定化磁気ビーズ(ビーズ濃度10mg/mL、タマビジン2-REV量は最大0.03mM)を0.2mgずつ６本の1.5mL容チューブへ加えた。次いで、1mLのPBSを各チューブへ添加し、ボルテックスミキサーを用いて十分に攪拌後、専用磁気スタンドを用いて磁気ビーズと溶液を分離した。分離したPBS溶液はピペットを用いて慎重に廃棄した（磁気ビーズの洗浄処理）。【０２３３】
洗浄処理後の磁気ビーズに、先に調製した40ng/μLのビオチン化HOTAIR RNA溶液をそれぞれのチューブに50μLずつ添加した。その後、各チューブはチューブミキサー等を用いて攪拌しながら4℃で４時間反応させた。【０２３４】
反応後、磁気スタンドを用いて磁気ビーズと溶液を分離した。上清をピペットを用いて廃棄した後、各チューブに0.5mLの洗浄バッファー(20mM Tris-HCl pH7.4, 200mM NaCl, 2.5mM MgCl2, 0.05% NP-40)を添加し、磁気ビーズを３回洗浄処理した。洗浄処理後、洗浄バッファーを廃棄した。【０２３５】
次に、ｐHがそれぞれ異なる8種類の溶出バッファー（8mM Biotin / 50mM Tris-HCl pH7.4, pH7.6, pH7.8, pH8.0, pH8.2, pH8.5, pH9.0, pH9.5）、又は対照としてそれら溶出バッファーのベースとなっているpHがそれぞれ異なる緩衝液8種類（過剰量の遊離ビオチンを含まない緩衝液）各々20μLを各チューブに添加し、チューブミキサーを用いて攪拌しながら4℃で15分間反応させた。反応時の反応液中のタマビジン2-REVのモル濃度は約0.032nmol/μLである。【０２３６】
反応後、磁気スタンドを用いて溶出液の分離を行い、分離した溶出液を新しいチューブへ移した。この溶出工程を再度繰り返し、得られた溶出液は先に分注したチューブへプールして、それぞれ一本のチューブに纏めた。溶出処理後のビーズは、保存しておいた。【０２３７】
得られた溶出液のRNA濃度を、吸光度260nmを測定することで算出した。次いで、過剰量の遊離ビオチンを含有する溶出バッファーを用いてビオチン化HOTAIR RNAの溶出を行った場合の溶出液中のRNA量から、対照として測定した遊離ビオチンを含有しない同pHの緩衝液を用いて同様にビオチン化HOTAIR RNAの溶出を行った場合の溶出液中のRNA量の差を算出した。以上の手順で得られたRNA濃度をもとに、使用したビオチン化HOTAIR RNA溶液のRNA濃度に対する、得られた溶出液のRNA濃度の割合（回収効率、％）を求め、RNAの回収性能の比較を行った。【０２３８】
（２）結果
結果を図４に示す。【０２３９】
図４から明らかなように、pH7.4から7.6の範囲では、ビオチン化HOTAIR RNAの溶出効率はほぼ横ばいであるのに対し、pH7.8からpH9.5の範囲にかけては、溶出効率が向上していく傾向が確認された。また、pH7.8からpH9.5の範囲の溶出バッファーを用いた場合は、いずれもpH7.4から7.6の範囲の溶出バッファーを用いた場合よりも溶出効率が高かった。【０２４０】
この結果から、Tamavidin2-REV固定化磁気ビーズに結合したビオチン化核酸の回収効率は、過剰量の遊離ビオチンを添加するとともに、溶出バッファーのpHをpH7.8以上にすることで高くなるという、相乗効果が見られることが明らかとなった。【０２４１】
実施例４．RNA pull down assayにおけるタマビジン２-REV担体からのRNA結合タンパク質の溶出効率比較
以下の方法により、各溶出バッファーを用いてRNA pull down assayにおけるタマビジン２-REV固定化不溶性担体からのRNA結合タンパク質の溶出効率の比較を行った。【０２４２】
（１）RNA pull dowm assayに用いる細胞ライセートの調製
K562細胞（ヒト慢性骨髄性白血病細胞、JCRB0019、理研バイオリソースセンター）を、75ｃｍ２フラスコで10％ FBS（Biosera社製）含有DMEM（和光純薬工業(株)製）20ｍＬを用いて７０−９０％コンフルエントになるまで３７℃、５％ＣＯ２条件下で培養した。培養後、培養液を50mLの遠沈管に移し、400 x g, 5分間の遠心操作を行った。遠心操作後、上清を除き、PBSを加えて細胞を再懸濁させ、再度遠心分離した。上清を除いた後細胞を適当量のPBSで再懸濁し、細胞数を測定した。１ｘ１０７細胞になるよう細胞懸濁液をチューブに分注し、再度遠心操作を行い、上清を除いて細胞ペレットを調製した。得られた細胞ペレットに500μLのRIPバッファー（25mM Tris-HCl pH7.4, 150mM KCl, 0.5mM DTT, 0.5% NP-40, プロテアーゼ阻害剤（和光純薬工業(株)製）, ホスファターゼ阻害剤（和光純薬工業(株)製））を添加し、ボルテックスミキサーを用いて細胞ペレットを懸濁させ、氷上で5分間インキュベーションした。その後、20,000xg, 15分間遠心し、得られた上清をRNA pull down assayに供する細胞ライセートとした。
【０２４３】
（２）RNA プルダウンアッセイ
実施例１で得られたビオチン化7SK snRNAの溶液（RNaseフリ-水）を15pmol量1.5mL容チューブに分取し、90℃で2分間熱処理した後、直ちに氷上に２分間置いて急冷させた。その後、ヒト由来7SK snRNA溶液の50倍容量のRNA再構成バッファー（10mM Tris-HCl pH7.4, 0.1M KCl, 10mM MgCl2）を添加し、室温で20分間反応させた。反応後、上記(１)で調製した細胞ライセート500μLを添加し、ローテーターで攪拌しながら4℃で４時間反応させた。【０２４４】
別に、実施例１で調製したタマビジン２−REV固定化磁気ビーズ（ビーズ濃度10mg/mL、タマビジン2-REV量は最大0.03mM）を50μLずつ３本の1.5mL容チューブへ加えた。次いで、１mLのPBSを各チューブへ添加し、ボルテックスミキサーを用いて十分に攪拌後、磁気スタンドを用いて磁気ビーズと溶液を分離した。分離したPBS溶液はピペットを用いて廃棄した（磁気ビーズの洗浄処理）。【０２４５】
洗浄処理後の磁気ビーズに、先に調製したビオチン化7SK snRNAと細胞ライセーとの反応液を、それぞれチューブ３本に反応液全量を添加した。その後、各チューブはローテーターを用いて攪拌しながら4℃で１時間反応させた。【０２４６】
反応後、磁気スタンドを用いてビーズと溶液を分離した。上清をピペットを用いて廃棄した後、各チューブに洗浄バッファー(20mM Tris-HCl pH7.4, 200mM NaCl, 2.5mM MgCl2, 0.05% NP-40)を添加し、磁気ビーズを３回洗浄処理した。洗浄処理後、洗浄バッファーを廃棄した。【０２４７】
次に、溶出バッファーとして15μLの20mM Biotin / 50mM KPB pH7.0、20mM Biotin / 50mM Tris-HCl pH8.0、又は20mM Biotin / 50mM Tris-HCl pH9.0をチューブに添加し、チューブミキサーを用いて攪拌しながら室温で15分間反応させた。反応時の反応液中のタマビジン2-REVのモル濃度は約0.1nmol/μLである。【０２４８】
反応後、磁気スタンドを用いて溶出液の分離を行い、分離した溶出液を新しいチューブへ移した。この溶出工程を再度繰り返し、得られた溶出液は先に分注したチューブへプールして、それぞれ一本のチューブに纏めた（「RNA pull downサンプル」とした。）。溶出処理後のビーズは、保存しておいた。【０２４９】
(３)ウエスタンブロッティング
１）ウエスタンブロッティング用試料の調製
上記(２)で得られたRNA pull downサンプル各全量に10μLの４×試料用緩衝液（和光純薬工業(株)製）を混合し、ウエスタンブロッティング用の各試料４０μＬをそれぞれ得た。【０２５０】
また、ビオチン溶出処理後もビーズ表面に残存しているタンパク質を検出するために、上記(２)で得られた溶出処理後のビーズに、40μLの2×試料用緩衝液（SDS含有、和光純薬工業(株)製）を加えて混合後、９８℃で５分間加熱した後、磁気スタンドを用いて溶液を分離し、ウエスタンブロッティング用の各試料４０μＬをそれぞれ得た。【０２５１】
２）ウエスタンブロッティング
スーパーセップエース  ５−２０％ゲル（和光純薬工業(株)製）に、上記１）で得られたウエスタンブロッティング用の試料各２０μＬずつを乗せて、25mA
で60分間電気泳動した。得られたゲルを、セミドライブロッターと不連続バッファー（Anode Buffer 1：0.3M Tris／5％ Methanol、Anode Buffer 2：0.025M Tris／5％Methanol、Cathode Buffer：0.025M Tris／0.04M アミノカプロン酸／5％Methanol）を用いて、PVDF膜（Millipore社製）に１mA／cm２で60分間転写した。転写したPVDF膜にPBS-Tで希釈した３％スキムミルクを加えて１時間室温で反応させてブロッキングし、PBS-Tで1000倍希釈した抗ヒトHEXIM1ウサギポリクローナル抗体（Abcam社製）２ｍＬを4℃で16時間反応させた。PBS-Tで３回洗浄後、PBS-Tで10,000倍希釈した２次抗体［抗ウサギＩｇＧ（Ｈ＋Ｌ）、マウスＩｇＧ分画、ペルオキシダーゼ結合抗体（和光純薬工業(株)製）］を室温で１時間反応させた。反応後のPVDFＦ膜をPBS-Tで５回洗浄後、ImmnunoStar Zeta(化学発光試薬、和光純薬工業(株)製）を含有する溶液に浸漬させ、５分間反応させた後、ImageQuant LAS-4000（GEヘルスケア・ジャパン(株)製）を用いて発光シグナルをそれぞれ検出した。
【０２５２】
（４）結果
得られた結果を図５(１)及び(２)に示す。【０２５３】
図５(１)は、プルダウン後に３種の溶出バッファーそれぞれで溶出したウェスタンブロッティング用試料を用いた電気泳動の結果を示す。図５(１)から明らかな通り、20mM Biotin / 50mM KPB pH7.0を溶出バッファーを用いて溶出した場合に比べ、20mM Biotin / 50mM Tris-HCl pH8.0および20mM Biotin / 50mM Tris-HCl 9.0の溶出バッファーを用いて溶出した場合の方が、ヒト由来7SK snRNAに結合するRNA結合タンパク質であるHEXIM1がより多く検出されていることが確認された。
【０２５４】
また、図５(２)はビオチン溶出処理後のビーズ表面に残存しているタンパク質をSDSで変性溶出させて得られたウエスタンブロッティング用の試料を用いた電気泳動の結果を示す。図５(２)から明らかな通り、20mM Biotin / 50mM KPB pH7.0は過剰ビオチン溶出後もビーズにHEXIM1が残存しているのに対し、20mM Biotin / 50mM Tris-HCl pH8.0および9.0を用いた溶出条件では、ほとんどビーズに残存しているHEXIM1が検出されていないことが確認された。
【０２５５】
以上の結果より、K562細胞の細胞ライセートとビオチン化7SK snRNAを反応させて細胞ライセート中のHEXIM1をビオチン化7SK snRNAに結合させ、次いでタマビジン2-REV固定化磁気ビーズを反応させて「HEXIM1とビオチン化7SK snRNAとタマビジン2-REV固定化磁気ビーズとの複合体」を生成させた後、過剰量の遊離ビオチン存在下に当該複合体を含有する溶液のpHをアルカリにシフトさせることにより、当該複合体から「HEXIM1が結合したビオチン化7SK snRNA」と「タマビジン2-REV固定化磁気ビーズ」を分離することができた。また、分離後のタマビジン2-REV固定化磁気ビーズをSDSで処理して、当該ビーズの表面に分離せずに残っているタンパク質の量を調べたところ、当該ビーズには殆どタンパク質が残っていなかったことが確認された。以上のことから、本発明の方法で、核酸結合タンパク質を極めて効率よく、高精度に分離することができることが確認された。【０２５６】
更に、以上の結果より、実際の実用に用いられるRNA pull down assayにおける溶出効率についても、中性域の溶出バッファーより高アルカリ側の溶出バッファーの方が溶出効率を向上させることができることが示された。
【産業上の利用可能性】
【０２５７】
本発明によれば、本発明に係るタマビジン結合不溶性担体を用い、過剰量の遊離ビオチンの存在下、溶液のpHを7.8〜9.5のアルカリ性にシフトさせることにより、ビオチン化核酸を効率よく且つ精度よく取得することができる。【０２５８】
また、本発明の方法によれば、核酸結合タンパク質とビオチン化核酸の複合体を効率よく且つ高精度に取得することができる。また、結合する核酸結合タンパク質が未知な核酸であっても、未知の核酸結合タンパク質と核酸の複合体を単離できる。以上のことから、本発明はノンコーディング核酸の機能解析や、核酸結合タンパク質の研究にも有用である。
【図１】
0006597638.tif 000003
【図２】
0006597638.tif 000004
【図３】
0006597638.tif 000005
【図４】
0006597638.tif 000006
【図５】
0006597638.tif 000007
【配列表】
0006597638000001.app